(57)【要約】【課題】花卉の花冠を保護しつつ所望形状に成形するための立体的な組立てと、嵩張らずに搬送や収納をし易くするための平面的な展開が、どこでも容易に素早く繰り返し行うことができる花冠成形具を提供する。【解決手段】本発明の花冠成形具１０は、凹錐状に形成した周壁部２と、花卉の花軸を挿通可能とする開放部３と、該周壁部を曲折して設けた少なくとも２以上の屈曲部４とを有する。また、該屈曲部の曲折状態の維持及びその解除を可能とする可逆的曲折手段５を備える。花冠成形具は、略中心に開放部を設けた可撓性を有するシート体を曲折することで凹錐状に形成できる。シート体の曲折は、周壁部の頂縁部２１側の一点と基底部２２側の一点とを結ぶ直線に沿って行う。そして、花冠成形具の開放部に花卉の花軸を挿通すると、花冠の外側は周壁部に取り囲まれて保護されつつ所望形状（ハート形）に成形されるものとなる。【選択図】図１
2015027295.tif 000002
【特許請求の範囲】
【請求項１】
花卉の花冠を保護しつつ所望形状に成形するための園芸用具であって、
花卉の花冠を取り囲むようにシート状部材で凹錐状に形成した周壁部と、
該花卉の花軸を挿通可能とするように前記周壁部の基底部に形成した開放部と、
前記周壁部の頂縁部側の一点と基底部側の一点とを結ぶ直線に沿って該周壁部を曲折して設けた少なくとも２以上の屈曲部と、
を有し、さらに、
前記屈曲部の曲折状態の維持及びその解除を可能とする可逆的曲折手段を備える、
ことを特徴とする花冠成形具。
【請求項２】
前記可逆的曲折手段は、前記屈曲部の端部もしくは端部付近に設けた折込み部であることを特徴とする請求項１に記載の花冠成形具。
【請求項３】
前記屈曲部は、前記周壁部を二分するように前記開放部を挟んで対称に形成された山折り部と谷折り部とから構成され、前記周壁部の頂縁部によって形成された形状がハート形であることを特徴とする請求項１又は２に記載の花冠成形具。
【請求項４】
前記屈曲部は、前記周壁部において一つの狭幅域と一つの広幅域と二つの中幅域とが形成するように前記周壁部を四分して形成された四つの山折り部から構成され、前記周壁部の頂縁部によって形成された形状が動物の顔の輪郭を模した顔形であることを特徴とする請求項１又は２に記載の花冠成形具。
【請求項５】
前記屈曲部は、前記周壁部を等分するように均等間隔で形成された複数の山折り部から構成され、前記周壁部の頂縁部によって形成された形状が複数の花びらもしくは葉っぱを模した草花形であることを特徴とする請求項１又は２に記載の花冠成形具。
【請求項６】
前記周壁部の頂縁部によって形成された形状が、ローマ字を模したものであることを特徴とする請求項１又は２に記載の花冠成形具。
【請求項７】
前記周壁部の頂縁部によって形成された形状が、数字の模したものであることを特徴とする請求項１又は２に記載の花冠成形具。
【請求項８】
前記周壁部の頂縁部によって形成された形状が、片仮名を模したものであることを特徴とする請求項１又は２に記載の花冠成形具。
【請求項９】
前記周壁部は二重構造となっており、内側周壁部と外側周壁部との間に平面部材を挟持していることを特徴とする請求項１乃至８の何れか１項に記載の花冠成形具。
【請求項１０】
前記周壁部の頂縁部によって形成された形状と、前記周壁部の基底部によって形成された形状とが、共に同じ形状をした相似形であることを特徴とする請求項１乃至９の何れか１項に記載の花冠成形具。
【請求項１１】
請求項１乃至１０に記載の何れか１の花冠成形具を形成するための部材であって、
可撓性を有するシート体の略中心に開放部を設けると共に、屈曲部及び可逆的曲折手段となる位置に山折り又は谷折りするための目印を付したことを特徴とする花冠成形具形成用部材。
【請求項１２】
前記目印と共に、曲折する順序に関する表示を付したことを特徴とする請求項１１に記載の花冠成形具形成用部材。
【請求項１３】
前記シート体は、外縁の一点と前記開放部の一点とを結ぶ直線に沿って破断部を備えていることを特徴とする請求項１１又は１２に記載の花冠成形具形成用部材。
【請求項１４】
前記シート体は、円形もしくは多角形であることを特徴とする請求項１１乃至１３の何れか１項に記載の花冠成形具形成用部材。
【請求項１５】
請求項１乃至１０に記載の何れか１の花冠成形具を花冠の外側に備え、該花冠成形具によって前記花冠を所望形状に成形してなることを特徴とする造形花卉。
【請求項１６】
前記花冠成形具は、複数の花冠の外側に備えられ、該花冠成形具によって該複数の花冠を一体的に合わせることにより所望形状を成形してなることを特徴とする請求項１５に記載の造形花卉。
【発明の詳細な説明】
【技術分野】
【０００１】
本願発明は、花卉の花冠を保護しつつ所望形状に成形するために用いる花冠成形具と、該花冠成形具形成用部材、及び前記花冠成形具によって花冠を所望形状に成形した造形花卉に関する。
【背景技術】
【０００２】
生産者から出荷する切り花の輸送は、通常、バケツなどの容器に切り花を立てた状態や、箱の中に切り花を寝かせた状態で行われている。しかしながら、花冠同士の接触や、花冠自体の重みになどによって輸送中に花冠が傷んでしまうことがある。
【０００３】
そこで、切り花の輸送中における花冠の損傷を防ぐための部材として、花の萼部を収容・支持する凹部と、前記花の花軸を挿通するための挿通部を備え、前記凹部によって花冠を保護するようにした花冠支持部材が本願発明者によって既に提案されている。この花冠支持部材は、凹部の周囲に花全体を保護するための保護部をさらに備え、保護部の形状を星形やハート形などにすることによって、花冠の形状に変化を付けることができる（特許文献１を参照）。
【０００４】
一方、切り花の花冠の形状を矯正することで斬新な外観の切り花を得るための部材として、切花の花冠を内包して、前記花冠の形状を略ハート型に矯正するようにした花冠矯正具が知られている（特許文献２を参照）。この花冠矯正具は、熱可塑性プラスチックシートから成形されたものであり、プラスチックシートを屈曲して重なった部分を超音波溶着することにより立体的な形状を保持するものとしている。
【０００５】
ところが、何れの部材も予め立体的に成形されたものであって、平面的にすることができない。すなわち、花卉の花冠を保護しつつ所望形状に成形するための立体的な組立てと、搬送や収納をし易くするための平面的な展開とを共に行うことができない。ゆえに、これらの部材は、立体的で嵩張るものであるため、保管や運搬時において非常に煩わしいものである。
【０００６】
また、従来技術では、溶着等によって形状を保持した部材によって花冠の形状に変化を付ける（矯正する）ものとしているため、立体的な組立てをその場で行うことができず、成形された立体形状が壊れてしまった場合に素早く修復して繰り返し用いることができない。ゆえに、結合部分が破損して形状が崩れてしまったら、新しいものと交換しなければならず、経済的に好ましいものではない。
【先行技術文献】
【特許文献】
【０００７】
【特許文献１】実用新案登録第３１２２３１４号公報
【特許文献２】特許第４４４０９９５号公報
【発明の概要】
【発明が解決しようとする課題】
【０００８】
本発明は、上記事情に鑑みて成されたものであり、花卉の花冠を保護しつつ所望形状に成形するための立体的な組立てと、搬送や収納をし易くするための平面的な展開が、どこでも容易に素早く繰り返し行うことができることを可能とした花冠成形具と、該花冠成形具を形成するための花冠成形具形成用部材、及び該花冠成形具によって花冠が所望形状に成形された花卉を提供することを目的とする。
【課題を解決するための手段】
【０００９】
本発明の花冠成形具は、花卉の花冠を保護しつつ所望形状に成形するための園芸用具であって、花卉の花冠を取り囲むようにシート状部材で凹錐状に形成した周壁部と、該花卉の花軸を挿通可能とするように前記周壁部の基底部に形成した開放部と、前記周壁部の頂縁部側の一点と基底部側の一点とを結ぶ直線に沿って該周壁部を曲折して設けた少なくとも２以上の屈曲部とを有し、さらに、前記屈曲部の曲折状態の維持及びその解除を可能とする可逆的曲折手段を備えることを特徴とする。
【００１０】
また、本発明は、前記花冠成形具において、可逆的曲折手段は、屈曲部の端部もしくは端部付近に設けた折込み部であることを特徴とする。
【００１１】
また、本発明は、前記花冠成形具のそれぞれにおいて、屈曲部は、周壁部を二分するように前記開放部を挟んで対称に形成された山折り部と谷折り部とから構成され、周壁部の頂縁部によって形成された形状がハート形であることを特徴とする。
【００１２】
また、本発明は、前記花冠成形具のそれぞれにおいて、屈曲部は、周壁部において一つの狭幅域と一つの広幅域と二つの中幅域とが形成するように前記周壁部を四分して形成された四つの山折り部から構成され、周壁部の頂縁部によって形成された形状が動物の顔の輪郭を模した顔形であることを特徴とする。
【００１３】
また、本発明は、前記花冠成形具のそれぞれにおいて、屈曲部は、周壁部を等分するように均等間隔で形成された複数の山折り部から構成され、周壁部の頂縁部によって形成された形状が複数の花びらもしくは葉っぱを模した草花形であることを特徴とする。
【００１４】
また、本発明は、前記花冠成形具のそれぞれにおいて、周壁部の頂縁部によって形成された形状が、ローマ字を模したものであることを特徴とする。
【００１５】
また、本発明は、前記花冠成形具のそれぞれにおいて、周壁部の頂縁部によって形成された形状が、数字を模したものであることを特徴とする。
【００１６】
また、本発明は、前記花冠成形具のそれぞれにおいて、周壁部の頂縁部によって形成された形状が、片仮名を模したものであることを特徴とする。
【００１７】
また、本発明は、前記花冠成形具のそれぞれにおいて、周壁部が二重構造となっており、内側周壁部と外側周壁部との間に平面部材を挟持していることを特徴とする。
【００１８】
また、本発明は、前記花冠成形具のそれぞれにおいて、周壁部の頂縁部によって形成された形状と、前記周壁部の基底部によって形成された形状とが、共に同じ形状をした相似形であることを特徴とする。
【００１９】
また、本発明の花冠成形具形成用部材は、前記花冠成形具を形成するための部材であって、可撓性を有するシート体の略中心に開放部を設けると共に、屈曲部及び可逆的曲折手段となる位置に山折り又は谷折りするための目印を付したことを特徴とする。
【００２０】
また、本発明は、前記花冠成形具形成用部材において、目印と共に、曲折する順序に関する表示を付したことを特徴とする。
【００２１】
また、本発明は、前記花冠成形具形成用部材のそれぞれにおいて、シート体が、外縁の一点と前記開放部の一点とを結ぶ直線に沿って破断部を備えていることを特徴とする。
【００２２】
また、本発明は、前記花冠成形具形成用部材のそれぞれにおいて、シート体が、円形もしくは多角形であることを特徴とする。
【００２３】
また、本発明の造形花卉は、前記花冠成形具を花冠の外側に備え、該花冠成形具によって前記花冠を所望形状に成形してなることを特徴とする。
【００２４】
また、本発明は、前記造形花卉において、花冠成形具が、複数の花冠の外側に備えられ、該花冠成形具によって該複数の花冠を一体的に合わせることにより所望形状を成形してなることを特徴とする。
【発明の効果】
【００２５】
本発明の花冠成形具は、屈曲部の曲折状態の維持及びその解除を可能とする可逆的曲折手段を備えるので、花冠同士の接触や花冠自体の重みなどによる花卉の傷みを抑えて、輸送中における花卉の損傷を防ぐことができると共に、花冠が斬新な外観を呈する形状となるように変化を付け、不要時には、可逆的曲折手段を解除して屈曲部を展ばして平面的な状態にすることで、嵩張らずに容易に搬送や保管・収容等をすることができる。しかも、使用時には元の形状となるように立体的に組立て、屈曲部の曲折状態の維持することで、繰り返し再度用いることができる。
【００２６】
また、本発明の花冠成形具形成用部材は、可撓性を有するシート体からなり、これを曲折するだけで本発明の花冠成形具を容易にすることができるので、超音波溶着等によって固着して曲折状態を維持する必要なく、使用前は平面状をした花冠成形具形成用部材の状態で保管し、使用時において花冠成形具形成用部材を曲折することで、どこでも容易に素早く組立てることができる。
【００２７】
さらに、本発明の花卉は、本発明の花冠成形具を花冠の外側に備えているので、花冠が斬新な外観を呈する形状となるよう容易に所望形状に成形したものとすることができ、販売時や購入後に本発明の花冠成形具を花卉から取り外すことなく、そのまま取り付けた状態とすることが、花冠の形状が崩れることなく長期にわたって飾ることができる。
【図面の簡単な説明】
【００２８】
【図１】本発明に係る花冠成形具を示す正面図である。
【図２】本発明に係る花冠成形具を示す側面図である。
【図３】本発明に係る花冠成形具の第一の可逆的曲折手段を示す周壁部の頂縁部側の部分拡大側面図である。
【図４】本発明に係る花冠成形具の第二の可逆的曲折手段を示す周壁部の基底部側の部分拡大側面図である。
【図５】本発明に係る花冠成形具を形成するための花冠成形具形成用部材を示す平面図。
【図６】本発明に係る花冠成形具形成用部材を用いて第一の可逆的曲折手段を設ける手順を説明するシート体の外縁側の部分拡大側面図である。
【図７】本発明に係る花冠成形具形成用部材を用いて第二の可逆的曲折手段を設ける手順を説明するシート体の開放部側の部分拡大側面図である。
【図８】図１に示す花冠成形具を用いて花冠を所望形状（ハート形）に成形した状態を示す花卉の平面図である。
【図９】花冠成形具にメッセージを付した状態を示す花卉の側面図である。
【図１０】本発明に係る花冠成形具を形成するための他の花冠成形具形成用部材を示す平面図。
【図１１】本発明に係る花冠成形具を形成するための他の花冠成形具形成用部材を示す、（Ａ）表面側の全体平面図、（Ｂ）裏面側の部分平面図。
【図１２】本発明に係る花冠成形具を形成するための他の花冠成形具形成用部材を示す、（Ａ）全体平面図、（Ｂ）外縁側の部分拡大平面図である。
【図１３】本発明に係る花冠成形具を形成するための他の花冠成形具形成用部材を示す平面図。
【図１４】本発明に係る花冠成形具を形成するための他の花冠成形具形成用部材を示す平面図。
【図１５】本発明に係る花冠成形具を形成するための他の花冠成形具形成用部材を示す平面図。
【図１６】本発明に係る花冠成形具形成用部材を用いて第三の可逆的曲折手段を設ける手順を説明するシート体の外縁側の部分拡大側面図である。
【図１７】本発明に係る花冠成形具形成用部材を用いて第三の可逆的曲折手段を設ける手順を説明するシート体の開放部側の部分拡大側面図である。
【図１８】本発明に係る他の花冠成形具であって、周壁部が二重構造となっているものを示す正面図である。
【図１９】図１８に示す花冠成形具を形成するための他の花冠成形具形成用部材の構造を説明する展開図。
【図２０】本発明に係る他の花冠成形具であって、花冠を成形する所望形状が異なる（第一の動物顔形）ものを示す正面図である。
【図２１】図２０に示す花冠成形具を形成するための他の花冠成形具形成用部材を示す平面図。
【図２２】本発明に係る他の花冠成形具であって、花冠を成形する所望形状が異なる（第二の動物顔形）ものを示す正面図である。
【図２３】図２２に示す花冠成形具を形成するための他の花冠成形具形成用部材を示す平面図。
【図２４】本発明に係る他の花冠成形具であって、花冠を成形する所望形状が異なる（第一の草花形）ものを示す正面図である。
【図２５】図２４に示す花冠成形具を形成するための他の花冠成形具形成用部材を示す平面図。
【図２６】本発明に係る他の花冠成形具であって、花冠を成形する所望形状が異なる（第二の草花形）ものを示す正面図である。
【図２７】図２６に示す花冠成形具を形成するための他の花冠成形具形成用部材を示す平面図。
【図２８】本発明に係る他の花冠成形具であって、花冠を成形する所望形状が異なる（星形）ものを示す正面図である。
【図２９】図２８に示す花冠成形具を形成するための他の花冠成形具形成用部材を示す平面図。
【図３０】本発明に係る他の花冠成形具であって、花冠を成形する所望形状が異なる（ローマ字のＡ）ものを示す正面図である。
【図３１】図３０に示す花冠成形具を形成するための他の花冠成形具形成用部材を示す平面図。
【図３２】本発明に係る他の花冠成形具であって、花冠を成形する所望形状が異なる（ローマ字のＢ）ものを示す正面図である。
【図３３】図３２に示す花冠成形具を形成するための他の花冠成形具形成用部材を示す平面図。
【図３４】本発明に係る他の花冠成形具であって、花冠を成形する所望形状が異なる（ローマ字のＣ）ものを示す正面図である。
【図３５】図３４に示す花冠成形具を形成するための他の花冠成形具形成用部材を示す平面図。
【図３６】本発明に係る他の花冠成形具であって、花冠を成形する所望形状が異なる（ローマ字のＤ）ものを示す正面図である。
【図３７】図３６に示す花冠成形具を形成するための他の花冠成形具形成用部材を示す平面図。
【図３８】本発明に係る他の花冠成形具であって、花冠を成形する所望形状が異なる（ローマ字のＥ）ものを示す正面図である。
【図３９】図３８に示す花冠成形具を形成するための他の花冠成形具形成用部材を示す平面図。
【図４０】本発明に係る他の花冠成形具であって、花冠を成形する所望形状が異なる（ローマ字のＦ）ものを示す正面図である。
【図４１】図４０に示す花冠成形具を形成するための他の花冠成形具形成用部材を示す平面図。
【図４２】本発明に係る他の花冠成形具であって、花冠を成形する所望形状が異なる（ローマ字のＧ）ものを示す正面図である。
【図４３】図４２に示す花冠成形具を形成するための他の花冠成形具形成用部材を示す平面図。
【図４４】本発明に係る他の花冠成形具であって、花冠を成形する所望形状が異なる（ローマ字のＨ）ものを示す正面図である。
【図４５】図４４に示す花冠成形具を形成するための他の花冠成形具形成用部材を示す平面図。
【図４６】本発明に係る他の花冠成形具であって、花冠を成形する所望形状が異なる（ローマ字のＩ）ものを示す正面図である。
【図４７】図４６に示す花冠成形具を形成するための他の花冠成形具形成用部材を示す平面図。
【図４８】本発明に係る他の花冠成形具であって、花冠を成形する所望形状が異なる（ローマ字のＪ）ものを示す正面図である。
【図４９】図４８に示す花冠成形具を形成するための他の花冠成形具形成用部材を示す平面図。
【図５０】本発明に係る他の花冠成形具であって、花冠を成形する所望形状が異なる（ローマ字のＫ）ものを示す正面図である。
【図５１】図５０に示す花冠成形具を形成するための他の花冠成形具形成用部材を示す平面図。
【図５２】本発明に係る他の花冠成形具であって、花冠を成形する所望形状が異なる（ローマ字のＬ）ものを示す正面図である。
【図５３】図５２に示す花冠成形具を形成するための他の花冠成形具形成用部材を示す平面図。
【図５４】本発明に係る他の花冠成形具であって、花冠を成形する所望形状が異なる（ローマ字のＭ）ものを示す正面図である。
【図５５】図５４に示す花冠成形具を形成するための他の花冠成形具形成用部材を示す平面図。
【図５６】本発明に係る他の花冠成形具であって、花冠を成形する所望形状が異なる（ローマ字のＮ）ものを示す正面図である。
【図５７】図５６に示す花冠成形具を形成するための他の花冠成形具形成用部材を示す平面図。
【図５８】本発明に係る他の花冠成形具であって、花冠を成形する所望形状が異なる（ローマ字のＯ）ものを示す正面図である。
【図５９】図５８に示す花冠成形具を形成するための他の花冠成形具形成用部材を示す平面図。
【図６０】本発明に係る他の花冠成形具であって、花冠を成形する所望形状が異なる（ローマ字のＰ）ものを示す正面図である。
【図６１】図６０に示す花冠成形具を形成するための他の花冠成形具形成用部材を示す平面図。
【図６２】本発明に係る他の花冠成形具であって、花冠を成形する所望形状が異なる（ローマ字のＱ）ものを示す正面図である。
【図６３】図６２に示す花冠成形具を形成するための他の花冠成形具形成用部材を示す平面図。
【図６４】本発明に係る他の花冠成形具であって、花冠を成形する所望形状が異なる（ローマ字のＲ）ものを示す正面図である。
【図６５】図６４に示す花冠成形具を形成するための他の花冠成形具形成用部材を示す平面図。
【図６６】本発明に係る他の花冠成形具であって、花冠を成形する所望形状が異なる（ローマ字のＳ）ものを示す正面図である。
【図６７】図６６に示す花冠成形具を形成するための他の花冠成形具形成用部材を示す平面図。
【図６８】本発明に係る他の花冠成形具であって、花冠を成形する所望形状が異なる（ローマ字のＴ）ものを示す正面図である。
【図６９】図６８に示す花冠成形具を形成するための他の花冠成形具形成用部材を示す平面図。
【図７０】本発明に係る他の花冠成形具であって、花冠を成形する所望形状が異なる（ローマ字のＵ）ものを示す正面図である。
【図７１】図７０に示す花冠成形具を形成するための他の花冠成形具形成用部材を示す平面図。
【図７２】本発明に係る他の花冠成形具であって、花冠を成形する所望形状が異なる（ローマ字のＶ）ものを示す正面図である。
【図７３】図７２に示す花冠成形具を形成するための他の花冠成形具形成用部材を示す平面図。
【図７４】本発明に係る他の花冠成形具であって、花冠を成形する所望形状が異なる（ローマ字のＷ）ものを示す正面図である。
【図７５】図７４に示す花冠成形具を形成するための他の花冠成形具形成用部材を示す平面図。
【図７６】本発明に係る他の花冠成形具であって、花冠を成形する所望形状が異なる（ローマ字のＸ）ものを示す正面図である。
【図７７】図７６に示す花冠成形具を形成するための他の花冠成形具形成用部材を示す平面図。
【図７８】本発明に係る他の花冠成形具であって、花冠を成形する所望形状が異なる（ローマ字のＹ）ものを示す正面図である。
【図７９】図７８に示す花冠成形具を形成するための他の花冠成形具形成用部材を示す平面図。
【図８０】本発明に係る他の花冠成形具であって、花冠を成形する所望形状が異なる（ローマ字のＺ）ものを示す正面図である。
【図８１】図８０に示す花冠成形具を形成するための他の花冠成形具形成用部材を示す平面図。
【図８２】本発明に係る他の花冠成形具であって、花冠を成形する所望形状が異なる（アラビア数字の１）ものを示す正面図である。
【図８３】図８２に示す花冠成形具を形成するための他の花冠成形具形成用部材を示す平面図。
【図８４】本発明に係る他の花冠成形具であって、花冠を成形する所望形状が異なる（アラビア数字の２）ものを示す正面図である。
【図８５】図８４に示す花冠成形具を形成するための他の花冠成形具形成用部材を示す平面図。
【図８６】本発明に係る他の花冠成形具であって、花冠を成形する所望形状が異なる（アラビア数字の３）ものを示す正面図である。
【図８７】図８６に示す花冠成形具を形成するための他の花冠成形具形成用部材を示す平面図。
【図８８】本発明に係る他の花冠成形具であって、花冠を成形する所望形状が異なる（アラビア数字の４）ものを示す正面図である。
【図８９】図８８に示す花冠成形具を形成するための他の花冠成形具形成用部材を示す平面図。
【図９０】本発明に係る他の花冠成形具であって、花冠を成形する所望形状が異なる（アラビア数字の５）ものを示す正面図である。
【図９１】図９０に示す花冠成形具を形成するための他の花冠成形具形成用部材を示す平面図。
【図９２】本発明に係る他の花冠成形具であって、花冠を成形する所望形状が異なる（アラビア数字の６）ものを示す正面図である。
【図９３】図９２に示す花冠成形具を形成するための他の花冠成形具形成用部材を示す平面図。
【図９４】本発明に係る他の花冠成形具であって、花冠を成形する所望形状が異なる（アラビア数字の７）ものを示す正面図である。
【図９５】図９４に示す花冠成形具を形成するための他の花冠成形具形成用部材を示す平面図。
【図９６】本発明に係る他の花冠成形具であって、花冠を成形する所望形状が異なる（アラビア数字の８）ものを示す正面図である。
【図９７】図９６に示す花冠成形具を形成するための他の花冠成形具形成用部材を示す平面図。
【図９８】本発明に係る他の花冠成形具であって、花冠を成形する所望形状が異なる（アラビア数字の９）ものを示す正面図である。
【図９９】図９８に示す花冠成形具を形成するための他の花冠成形具形成用部材を示す平面図。
【図１００】本発明に係る他の花冠成形具であって、花冠を成形する所望形状が異なる（片仮名のア）ものを示す正面図である。
【図１０１】図１００に示す花冠成形具を形成するための他の花冠成形具形成用部材を示す平面図。
【図１０２】本発明に係る他の花冠成形具であって、花冠を成形する所望形状が異なる（片仮名のイ）ものを示す正面図である。
【図１０３】図１０２に示す花冠成形具を形成するための他の花冠成形具形成用部材を示す平面図。
【図１０４】本発明に係る他の花冠成形具であって、花冠を成形する所望形状が異なる（片仮名のウ）ものを示す正面図である。
【図１０５】図１０４に示す花冠成形具を形成するための他の花冠成形具形成用部材を示す平面図。
【図１０６】本発明に係る他の花冠成形具であって、花冠を成形する所望形状が異なる（片仮名のエ）ものを示す正面図である。
【図１０７】図１０６に示す花冠成形具を形成するための他の花冠成形具形成用部材を示す平面図。
【図１０８】本発明に係る他の花冠成形具であって、花冠を成形する所望形状が異なる（片仮名のオ）ものを示す正面図である。
【図１０９】図１０８に示す花冠成形具を形成するための他の花冠成形具形成用部材を示す平面図。
【発明を実施するための形態】
【００２９】
以下、本発明における実施の形態の一例について、図面を参照して説明する。
本実施の形態では、本発明の理解を容易にするため、所望形状として花冠をハート形に成形する場合を中心に説明する。
なお、以下に述べる実施の形態は、本発明の好適な具体例であるため技術的に種々の限定が付されているが、本発明の範囲は、これらの形態に限られるものではない。
【００３０】
＜第１の実施の形態＞
図１は、本発明に係る第一の花冠成形具１０を示す正面図であり、図２は、その側面図である。
図１に示すように、本実施の形態における花冠成形具１０は、花卉の花冠を保護しつつ所望形状に成形するための園芸用具であって、周壁部２と、開放部３と、屈曲部４と、可逆的曲折手段５とを備える。
【００３１】
周壁部２は、花卉の花冠を取り囲むものであって、シート状部材を凹錐状に形成することにより設けられたものである。ゆえに、この周壁部２によって花冠を所望形状に成形することができると共に、外部からの衝撃等から花冠を保護し、さらに、花冠の乾燥を防ぐことができる。
【００３２】
開放部３は、花卉の花軸を挿通可能とするものであって、周壁部２の基底部２２に形成されている。
図１及び図２において、開放部３は、常時開口した状態のものとして示されているが、花卉の花軸を挿通可能とするものであればこれに限定されない。したがって、後述するように、複数の切込みによって構成されたものであっても良い。
【００３３】
屈曲部４は、周壁部２の頂縁部２１側の一点と、周壁部２の基底部２２側の一点とを結ぶ直線に沿って周壁部２を曲折して設けたものであって、少なくとも２以上有する。この屈曲部４の位置や数、向きによって、周壁部２を所望形状に形成することができる。
【００３４】
この屈曲部４は、たとえば、周壁部２を二分するように開放部３を挟んで対称に形成された山折り部４１と谷折り部４２とから構成される。この屈曲部４により、周壁部２の頂縁部２１側を所望の形状に形成し、この周壁部２で花卉の花冠を取り囲むことで、花冠を所望形状に成形することができる。
【００３５】
図１において、花冠成形具１０は、山折り部４１と谷折り部４２とから構成された屈曲部４により、周壁部２の頂縁部２１によって形成された形状がハート形を模したものとして示されている。また、花冠成形具１０は、周壁部２の基底部２２によって形成された形状が、同じく山折り部４１と谷折り部４２とから構成された屈曲部４により、周壁部２の頂縁部２１によって形成された形状と同じ小さなハート形を模したものとして示されている。
【００３６】
このように本発明の花冠成形具１０は、周壁部２の頂縁部２１側の一点と周壁部２の基底部２２側の一点とを結ぶ直線に沿って周壁部２を曲折して設けた屈曲部４によって、周壁部２の頂縁部２１によって形成された形状と、周壁部２の頂縁部２１によって形成された形状とが、互いに相似形をしたものとなることを特徴とする。
【００３７】
可逆的曲折手段５は、屈曲部４の曲折状態の維持及びその解除を可能とする。この可逆的曲折手段５は、屈曲部４近傍の周壁部２を超音波溶着等によって固着せずに、屈曲部４の曲折状態の維持及びその解除を繰り返し行うことができるもとなっている。
【００３８】
この可逆的曲折手段５は、たとえば、図１乃至図３に示すように、屈曲部４の端部もしくは端部付近に設けた折込み部５４であり、この折込み部５４は、屈曲部４の曲折方向や連設方向を途中で変更するように設けられたものとなっている。
具体的には、図２及び図３に示すように、屈曲部４の曲折方向を途中で変更する山折り部５１と谷折り部５２によって構成された折込み部５４を有するものを第一の可逆的曲折手段５Ａとする。
【００３９】
この第一の可逆的曲折手段５Ａは、図２に示すように、屈曲部４の曲折方向が、屈曲部４中に位置する点Ｐにおいて変更されたものとなっている。すなわち、屈曲部４中に位置する点Ｐと屈曲部４において頂縁部２１側に位置する点Ｑとの間（Ｐ−Ｑ間）の曲折方向と、同点Ｐと屈曲部４において基端部２２側に位置する点Ｒとの間（Ｐ−Ｒ間）の曲折方向とが、点Ｐを境に異なったものとなっている。
【００４０】
ゆえに、花冠成形具１０の正面から見て、点Ｐ−点Ｒ間は山折り部４１となっているが、点Ｐ−点Ｑ間は屈曲部４の曲折方向が変更されて谷折り部４２となっており、山折りされた点Ｐ−点Ｒ間における元の平面に戻ろうとする復元力が谷折りされた点Ｐ−点Ｑ間によって抑制され、屈曲部４の山折り状態が維持されるものとなる。
【００４１】
また、可逆的曲折手段５は、折込み部５４の一部に曲折補助切込み５３を伴うとその形成がし易くなるので望ましい。
具体的には、図２及び図４に示すように、屈曲部４の連設方向を途中で変更する山折り部５１と谷折り部５２と曲折補助切込み５３によって構成された折込み部５４を有するものを第二の可逆的曲折手段５Ｂとする。図４において、曲折補助切込み５３は、屈曲部４の基端部２２側において屈曲部４の近傍に略平行に設けられたものとして示されている。
【００４２】
この第二の可逆的曲折手段５Ｂは、図２に示すように、屈曲部４の連設方向が、屈曲部４中に位置する点Ｓにおいて変更されたものとなっている。すなわち、屈曲部４中に位置する点Ｓと屈曲部４において頂縁部２１側に位置する点Ｔとの間（Ｓ−Ｔ間）の曲折の連設方向と、同点Ｓと屈曲部４において基端部２２側に位置する点Ｕとの間（Ｓ−Ｕ間）の曲折の連設方向とが、点Ｓを境に異なったものとなっている。
【００４３】
ゆえに、正面から見て、点Ｓ−点Ｔ間及び点Ｓ−点Ｕ間は共に谷折り部４２となっているが、側面から見ると、点Ｓ−点Ｕ間は屈曲部４の連設方向が変更されるように折り返され、点Ｓ−点Ｔ間に沿うように重なったものとなっており、谷折りされた点Ｓ−点Ｔ間における元の平面に戻ろうとする復元力が折り返された点Ｓ−点Ｕ間によって抑制され、屈曲部４の谷折り状態が維持されるものとなる。
【００４４】
この可逆的曲折手段５（５Ａ，５Ｂ）は、屈曲部４において少なくとも周壁部２の頂縁部２１側又は基底部２２側の何れか一方に設けられていれば良い。本実施の形態では、可逆的曲折手段５（５Ａ，５Ｂ）は周壁部４の双方、具体的には、周壁部４の頂縁部２１側には第一の可逆的曲折手段５Ａ、一方、周壁部２の基底２２部側には第二の可逆的曲折手段５Ｂがそれぞれ設けられたものとなっている。
【００４５】
以上のように構成される花冠成形具１０は、たとえば、図５に示すように、保形性と可撓性を有するシート体１１を用いて形成することができる。具体的には、花冠成形具１０は、円形をしたシート体１１の略中心に常時開口した状態の開口部３１を開放部３として設けると共に、第二の可逆的曲折手段５Ｂを構成する二つの曲折補助切込み５３，５３を前記開放部３（開口部３１）に設けた略ドーナツ状の花冠成形具形成用部材１Ａを用いることで形成することができる。図５において、曲折補助切込み５３，５３は、基端部２２から頂縁部２１へ向かって途中まで設けられたものとして示されている。
【００４６】
シート体は、指で容易に曲折することができると共に、花冠を所望形状に成形・保持するために必要な適度な強度を有する、保形性と可撓性とを有するものであれば材料は特に限定されない。したがって、たとえば、ポリエチレン（ＰＥ）やポリプロピレン（ＰＰ）、ポリエチレンテレフタレート（ＰＥＴ）等の合成樹脂、厚紙、又はこれらを組み合わせた材料を用いることができる。
【００４７】
また、シート体１１の形状は特に限定されない。したがって、楕円形を含む円形や、多角形に形成されたものであっても良い。図５において、シート体１１は、正円形をしたものとして示されている。
【００４８】
なお、開放部３や曲折補助切込み５３は、予めシート体１１に設けておくものとしても良いが、花冠成形具１０の形成においてシート体１１を折り曲げた後に、その場で切欠して形成するようにしても良い。
【００４９】
次に、この花冠成形具形成用部材１Ａを用いて花冠成形具１０を形成する方法について説明する。
花冠成形具１０は、図６に示すように、花冠成形具形成用部材１Ａの外縁部に第一の可逆的曲折手段５Ａを設けると共に、図７に示すように、その内縁部に第二の可逆的曲折手段５Ｂを設けることで形成できる。この第一の可逆的曲折手段５Ａと第二の可逆的曲折手段５Ｂは、開放部３を挟んで対向した位置に配される。
【００５０】
まず、図６（Ａ）において点線矢印で示すように、シート体１１の外縁の一点と同内縁の一点とを最短距離で結ぶ直線に沿ってシート体１１を二分するように外側へ折り曲げる。
図６（Ａ）において、折り曲げ位置は一点鎖線１４Ａで示されている。
【００５１】
次に、図６（Ｂ）及び（Ｃ）において点線矢印で示すように、シート体１１を折り曲げて形成された曲折部４の先端付近を、上述した第一の可逆的曲折手段５Ａの説明にしたがって後方へ折り返すことで、曲折部４の曲折方向を変更し、シート体１１の外縁側に第一の可逆的曲折手段５Ａを設ける。
図６（Ｂ）及び（Ｃ）において、折り曲げ位置は、山折り部が一点鎖線５１、谷折り部が二点鎖線５２で示され、曲折部４は、山折り部４１として示されている。また、図６（Ｃ）において、曲折部４の先端側（すなわち、シート体１１の外縁側）の曲折方向が山折り状態から谷折り状態に変更されることが示されている。
【００５２】
これにより、シート体１１の外縁部に図３に示す第一の可逆的曲折手段５Ａが形成されると共に、撓んだシート体１１によってハート形の上方側に相当する花冠成形具１０の周壁部２が形成され、シート体１１の外縁部は、花冠成形具１０における頂縁部２１となる。
【００５３】
また、図７（Ａ）において点線矢印で示すように、第一の可逆的曲折手段５Ａを設けた位置とは開放部３を挟んで対向した位置におけるシート体１１の外縁の一点と同内縁の一点とを最短距離で結ぶ直線に沿ってシート体１１を二分するように内側へ折り曲げる。
図７（Ａ）において、折り曲げ位置は二点鎖線１４Ｂで示されている。なお、図中に示された符号５３は、周壁部２の基底２２部側に設けられた第二の可逆的曲折手段５Ｂを構成する二つの曲折補助切込みである。この曲折補助切込み５３は、屈曲部４となる折り曲げ位置を挟んで対称に、基端部２２側から頂縁部２１側へ向かって途中まで略平行に設けられたものとして示されている。
【００５４】
次いで、図７（Ｂ）において点線矢印で示すように、曲折補助切込み５３によって形成された周壁部２の基底部２２側の折込み部５４を、重なった状態のまま上述した第二の可逆的曲折手段５Ｂの説明にしたがって曲折補助切込み５３の基端側より折り返すことで、屈曲部４の連設方向を変更し、シート体１１の内縁側に第二の可逆的曲折手段５Ｂを設ける。
図７（Ｂ）において、曲折補助切込み５３の基端側の折り曲げ位置は、谷折り部の手前に山折り部が重なった状態となっており、曲折部４は、谷折り部４２として示されている。
【００５５】
これにより、シート体１１の内縁部に図４に示す第二の可逆的曲折手段５Ｂが形成されると共に、ハート形の下方側に相当する花冠成形具１０の周壁部２が形成される。
【００５６】
以上のように構成した花冠成形具１０は、図８に示すように、花卉の花冠Ｆの外側に取り付けることで、外部からの衝撃等から花冠を保護すると共に、花冠を所望形状に成形した造形花卉１００とすることができる。
図８において、花卉としてカーネーションの花冠をハート形に成形した状態の造形花卉１００が示されている。
【００５７】
また、花冠成形具１０は、１つだけの花冠に限らず、複数の花冠を合わせたものの外側に取り付けることで、より大きな造形花卉や、色彩や風合いが部分的に異なる造形花卉とすることができる。
なお、花卉は切り花に限らず、切り取る前の根を有する植物を含むと共に、生花に限らず、紙や布等で作られた造花や葉物も含む。
【００５８】
さらに、花冠成形具１０は、図９に示すように、外面にメッセージＭを表示することで、プレゼント用の造形花卉１００とすることができる。この場合、メッセージＭは、花冠成形具１０の外面に直接表記しても良いが、後述する周壁部が二重構造をした花冠成形具２０の内側周壁部と外側周壁部との間に挟持した平面部材（メッセージ表示シート部材）に表記されるものとしても良い。
図９において、花冠成形具１０の外面に「お母さん  いつもありがとう！」というメッセージＭが表記された造形花卉１００が示されている。
【００５９】
＜第２の実施の形態＞
また、本発明において花冠成形具形成用部材は、花冠成形具１０を形成し易くすることができる。すなわち、上述した第１の実施の形態とは、シート体に折り曲げを補助する手段を設けた花冠成形具形成用部材とする点で異なる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００６０】
折り曲げを補助する手段は、たとえば、目印とし、図１０に示すように、略ドーナツ状のシート体１１において、屈曲部及び可逆的曲折手段となる位置に山折り又は谷折りするための目印１４を付した目印付の花冠成形具形成用部材１Ｂとすることができる。
【００６１】
目印１４としては、たとえば、折り曲げ位置に相当する部分に付す線や溝とすることができる。
また、目印１４が線の場合、山折りする折り曲げ位置と谷折りする折り曲げ位置とで、線種を変えたり、色彩を変えたり、太さを変えたりすることで、シート体１１の折り曲げ方向が容易にわかるように互いに異なるものとすることができる。
【００６２】
図１０において、花冠成形具形成用部材１Ｂは、中心に常時開口した状態の開口部３１を開放部３として有する円形をしたシート体１１において、山折りする折り曲げ位置に一点鎖線で示された目印１４Ａが、谷折りする折り曲げ位置に二点鎖線で示された目印１４Ｂがそれぞれ付されたものとして示されている。具体的には、ハート形の上方側に相当する屈曲部の折り曲げ位置に山折りする目印１４Ａが、ハート形の下方側に相当する屈曲部の折り曲げ位置に谷折りする印１４Ｂがそれぞれ付されたものとなっている。
【００６３】
このような目印付の花冠成形具形成用部材１Ｂは、上述した花冠成形具形成用部材１Ａと同様に折り曲げることで花冠成形具１０を形成することができるが、シート体１１に互いに異なる目印１４（１４Ａ，１４Ｂ）を付すことで、シート体１１の折り曲げ位置と折り曲げ方向が一目でわかるものとなる。ゆえに、目印１４Ａ，１４Ｂに沿ってシート体１１を折り曲げることで、容易にかつ素早く花冠成形具１０を形成することができるものとなる。
【００６４】
＜第３の実施の形態＞
また、本発明の花冠成形具形成用部材は、花冠成形具１０をさらに形成し易くすることができる。すなわち、上述した第１の実施の形態とは、シート体に折り曲げを補助する他の手段を設けた花冠成形具形成用部材とする点で異なる。
【００６５】
折り曲げを補助する他の手段は、たとえば、表示とし、図１１に示すように、略ドーナツ状のシート体１１において、屈曲部及び可逆的曲折手段となる位置に山折り又は谷折りするための目印１４を付すと共に、この目印の近傍に、折り曲げの順序に関する表示１５を付した表示付の花冠成形具形成用部材１Ｃとすることができる。
【００６６】
表示１５としては、たとえば、数字のほか、イロハ・・・、ＡＢＣ・・・といった順番のわかる文字とすることができる。
図１１において、花冠成形具形成用部材１Ｃは、山折りする折り曲げ位置に一点鎖線で示された目印１４Ａが、谷折りする折り曲げ位置に二点鎖線で示された目印１４Ｂがそれぞれ付されると共に、この目印１４Ａ，１４Ｂの近傍に丸囲み数字の「１」から丸囲み数字「４」が付されたものとして示されている。
【００６７】
具体的には、図１１において、シート体１１の表面１１ａにおいて、ハート形の上方側に相当する屈曲部の折り曲げ位置に、山折りする目印１４Ａと、丸囲み数字の「１」の表示１５がそれぞれ付されていると共に、第一の可逆的曲折手段５Ａを形成するための折り曲げ位置に、山折りする目印１４Ａ及び谷折りする印１４Ｂと、丸囲み数字の「２」の表示１５がそれぞれ付されている。また、ハート形の下方側に相当する屈曲部の折り曲げ位置に、谷折りする印１４Ｂと、丸囲み数字の「３」の表示１５がそれぞれ付されたものとなっている。さらに、シート体１１の裏面１１ｂにおいて、第二の可逆的曲折手段５Ｂを形成するための折り曲げ位置に、山折りする目印１４Ａ及び谷折りする印１４Ｂと、丸囲み数字の「４」の表示１５がそれぞれ付されている。
【００６８】
このような目印付の花冠成形具形成用部材１Ｃは、シート体１１に互いに異なる目印１４（１４Ａ，１４Ｂ）と折り曲げの順序に関する表示１５を付すことで、シート体１１の折り曲げ位置と折り曲げ方向、及び折り曲げの順序が一目でわかるものとなる。ゆえに、表示１５の順番にしたがい目印１４Ａ，１４Ｂに沿ってシート体１１を折り曲げることで、迷わずにシート体を曲折することができ、容易にかつ素早く花冠成形具１０を形成することができるものとなる。
【００６９】
＜第４の実施の形態＞
また、本発明の花冠成形具形成用部材は、花冠成形具１０において、第一の可逆的曲折手段５Ａを形成し易くすることができる。すなわち、上述した第１の実施の形態とは、シート体に折り曲げを容易にする手段を設けた花冠成形具形成用部材とする点で異なる。
【００７０】
折り曲げを容易にする手段とは、たとえば、切込みとし、図１２に示すように、略ドーナツ状のシート体１１において、屈曲部及び可逆的曲折手段となる位置に山折り又は谷折りするための目印１４（１４Ａ，１４Ｂ）を付すと共に、第一の可逆的曲折手段５Ａとなる目印１４の一部を線状に切り欠いた曲折補助切込み５３を設けた花冠成形具形成用部材１Ｄとすることができる。
ゆえに、本実施の形態における第一の可逆的曲折手段５Ａは、第二の可逆的曲折手段と同様に、山折り部５１と谷折り部５２と曲折補助切込み５３によって構成されたものとなっている。
【００７１】
図１２において、花冠成形具形成用部材１Ｄは、山折りする折り曲げ位置に一点鎖線で示された目印１４Ａが、谷折りする折り曲げ位置に二点鎖線で示された目印１４Ｂがそれぞれ付されると共に、第一の可逆的曲折手段５Ａとなる山折りする目印１４Ａの一部に沿って曲折補助切込み５３が形成されたものとして示されている。
具体的には、曲折補助切込み５３は、シート体１１において、ハート形の上方側に相当する屈曲部の折り曲げ位置に山折りする目印１４Ａよりに形成されたものとなっている。
【００７２】
このような切込み付きの花冠成形具形成用部材１Ｄは、曲折補助切込み５３を設けることで、第一の可逆的曲折手段５Ａを形成するための折り曲げが行い易くなる。しかも、曲折補助切込み５３は、折り曲げ開始位置に形成されているので、第一の可逆的曲折手段５Ａを形成するための折り曲げが一層行い易いものとなる。
【００７３】
＜第５の実施の形態＞
また、本発明の花冠成形具形成用部材は、花冠成形具１０において、花卉の花軸を挿通し易くすることができる。すなわち、上述した第１の実施の形態とは、開放部に花軸を挿通し易くする手段を設けた花冠成形具形成用部材とする点で異なる。
【００７４】
花卉の花軸を挿通し易くする手段とは、たとえば、開口部と切込みとし、図１３に示すように、略ドーナツ状のシート体１１の略中心に常時開口した状態の開口部３１と、この開口部３１の周縁３２において放射状に切り欠いた複数の拡開可能切込み３３・・３３によって構成された開放部３を設けると共に、第二の可逆的曲折手段５Ｂを構成する二つの曲折補助切込み５３，５３を開口部３１の周縁３２に設けた花冠成形具形成用部材１Ｅとすることができる。
【００７５】
図１３において、花冠成形具形成用部材１Ｅは、その略中心に開口部３１を設けられると共に、該開口部３１の周縁３２から放射状に拡がるように切り欠いた８本の拡開可能切込み３３・・３３が設けられ、この拡開可能切込み３３のうちの２本が曲折補助切込み５３，５３を兼ねたものとして示されている。
【００７６】
このような拡開切込み付きの花冠成形具形成用部材１Ｅは、拡開可能切込み３３を設けることで、花卉の花軸を挿通するための開放部の大きさを拡張することができるので、花軸を傷めることなく花卉に装着することができる。また、花卉の萼部をも支持することができる。さらに、拡開可能切込み３３の一部が曲折補助切込み５３を兼ねたものとすることができるので、第一の可逆的曲折手段５Ａを形成するための切込みの形成が効率良く効果的に行えるものとなる。
【００７７】
＜第６の実施の形態＞
また、本発明の花冠成形具形成用部材は、花冠成形具１０において、上記第５の実施の形態における手段とは異なる他の手段によって花卉の花軸を挿通し易いものとすることができる。すなわち、上述した第１の実施の形態とは、開放部に花軸を挿通し易くする手段を設けた点で異なると共に、上述した第５の実施の形態とは、その手段が相違するものとなっている。
【００７８】
花卉の花軸を挿通し易くする手段とは、たとえば、切込みのみとし、図１４に示すように、円形をしたシート体１１の略中心において放射状に切り欠いた複数の開口用切込みに３４・・３４よって拡開可能に構成された開放部３を設けると共に、第二の可逆的曲折手段５Ｂを構成する二つの曲折補助切込み５３，５３をシート体１１の略中心に設けた花冠成形具形成用部材１Ｆとすることができる。
【００７９】
図１４において、花冠成形具形成用部材１Ｆは、その略中心から放射状に拡がるように切り欠いた８本の開口用切込みに３４・・３４が設けられ、この開口用切込みに３４のうちの２本が曲折補助切込み５３，５３を兼ねたものとして示されている。
【００８０】
このような開口切込み付きの花冠成形具形成用部材１Ｆは、第５の実施の形態における拡開切込み付の花冠成形具形成用部材１Ｅと同様に、開口用切込み３４を設けることで、花卉の花軸を挿通するための拡張可能な開口を形成することができるので、花軸を傷めることなく花卉に装着することができる。また、開口用切込み３４によって形成される開口は、花軸の太さに応じて拡張することができるので、花軸が細い場合であっても太さに関係なく装着することができ、花卉の萼部をも支持することができる。さらに、開口用切込みに３４の一部が曲折補助切込み５３を兼ねたものとすることができるので、第一の可逆的曲折手段５Ａを形成するための切込みの形成が効率良く効果的に行えるものとなる。
【００８１】
＜第７の実施の形態＞
また、本発明の花冠成形具形成用部材は、花冠成形具１０において、葉が大きい花卉や棘がある花卉、根の付いたままの花卉といった花卉の形態に関係なく取り付け可能とすることができる。すなわち、上述した第１の実施の形態とは、シート体を破断する手段を設けた花冠成形具形成用部材とする点で異なる。
【００８２】
シート体を破断する手段とは、たとえば、切込みとし、図１５に示すように、略ドーナツ状のシート体１１において、外縁の一点１１ａと内縁の一点１１ｂとを結ぶ直線に沿って破断部３５を備えた花冠成形具形成用部材１Ｇとすることができる。
この破断部としては、たとえば、一部分だけ繋がっていて容易に切断可能とするミシン目状切り込みや、予め完全に切断された切込みとすることができる。また、破断部は、全部繋がっているが容易に切断可能とする薄肉部によって構成されるものとしても良い。
【００８３】
図１５において、花冠成形具形成用部材１Ｇは、その略中心に開口部３１を設けられると共に、該開口部３１の周縁３２から放射状に拡がるように切り欠いた８本の拡開可能切込み３３・・３３が設けられ、更に、外縁の下端の一点１１ａと内縁の下端の一点１１ｂとを結ぶ直線に沿って、一部分だけ繋がっていて容易に切断可能とするミシン目状切り込みからなる破断部３５を設けたものとして示されている。
【００８４】
このような拡開切込み付きの花冠成形具形成用部材１Ｇは、破断部３５を設けることで、シート体、すなわち、花冠成形具の周壁部を容易に破断することができるので、たとえば、葉が大きい花卉や棘がある花卉、根の付いたままの花卉に対して、花卉を傷めることなく容易に花冠成形具１０を取り付けることができる。なお、花冠に巻き付けた後の破断部３５の端部は、粘着テープ等を用いることにより容易に閉じることができる。
【００８５】
＜第８の実施の形態＞
また、本発明は、花冠成形具１０において、周壁部の頂縁部側に設けた可逆的曲折手段と、周壁部の基端部側に設けた可逆的曲折手段とを同じものとすることができる。すなわち、上述した第１の実施の形態とは、第一の可逆的曲折手段５Ａ及び第二の可逆的曲折手段５Ｂではない、第三の可逆的曲折手段５Ｃを設ける点で異なる。
【００８６】
第三の可逆的曲折手段５Ｃは、たとえば、図１６及び図１７に示すように、屈曲部４の端部に設けた折込み部５４とすることができる。
以下、図１６に示すように、花冠成形具形成用部材の外縁部に第三の可逆的曲折手段５Ｃを設けると共に、図１７に示すように、その内縁部にも第三の可逆的曲折手段５Ｃを設ける方法について説明する。この二つの第三の可逆的曲折手段５Ｃは、開放部３を挟んで対向した位置に配される。
【００８７】
まず、図１６（Ａ）において点線矢印で示すように、シート体１１の外縁の一点と同内縁の一点とを最短距離で結ぶ直線に沿ってシート体１１を表側から二分するように外側へ折り曲げる。
図１６（Ａ）において、折り曲げ位置は山折りとする一点鎖線１４Ａで示されている。
【００８８】
次に、図１６（Ｂ）及び（Ｃ）において点線矢印で示すように、シート体１１を折り曲げて形成された曲折部４の先端付近を、側方へ折り返すことで曲折部４の曲折方向を変更して折込み部５４を形成し、シート体１１の外縁側に第三の可逆的曲折手段５Ｃを設ける。
図１６（Ｂ）及び（Ｃ）において、折り曲げ位置は、山折り部が一点鎖線５１、谷折り部が二点鎖線５２で示され、曲折部４は、山折り部４１として示されている。また、図において、曲折部４の先端側（すなわち、シート体１１の外縁側）を右方向へ折り返すことで折込み部５４を設けることが示されている。
【００８９】
これにより、シート体１１の外縁部に第三の可逆的曲折手段５Ｃが形成されると共に、撓んだシート体１１によってハート形の上方側に相当する花冠成形具１０の周壁部２が形成され、シート体１１の外縁部は、花冠成形具１０における頂縁部２１となる。
【００９０】
また、図１７（Ａ）において点線矢印で示すように、シート体１１の外縁部において第三の可逆的曲折手段５Ｃを設けた位置とは開放部３を挟んで対向した位置におけるシート体１１の外縁の一点と同内縁の一点とを最短距離で結ぶ直線に沿ってシート体１１を裏側から二分するように内側へ折り曲げる。
図１７（Ａ）において、折り曲げ位置は谷折りとする二点鎖線１４Ｂで示されている。
【００９１】
次いで、図１７（Ｂ）において点線矢印で示すように、シート体１１を折り曲げて形成された曲折部４の先端付近を、側方へ折り返すことで曲折部４の曲折方向を変更して折込み部５４を形成し、シート体１１の外縁側に第三の可逆的曲折手段５Ｃを設ける。
図１７（Ｂ）及び（Ｃ）において、折り曲げ位置は、山折り部が一点鎖線５１、谷折り部が二点鎖線５２で示され、曲折部４は、谷折り部４２として示されている。また、図において、曲折部４の先端側（すなわち、シート体１１の内縁側）を右方向へ折り返すことで折込み部５４を設けることが示されている。
【００９２】
これにより、シート体１１の内縁部に切込みを伴わない第三の可逆的曲折手段５Ｃが形成されると共に、ハート形の下方側に相当する花冠成形具１０の周壁部２が形成することができる。
【００９３】
＜第９の実施の形態＞
また、本発明は、花冠成形具の側面を装飾的に富んだものとすることもできる。すなわち、上述した第１の実施の形態とは、周壁部を二重構造とし、その間に平面部材を設ける点で異なる。
【００９４】
平面部材とは、たとえば、カラーシート部材や模様付シート部材といった装飾用部材、又はメッセージ表示シート部材とすることができる。また、平面部材は、花冠への補給用となる吸水シート部材としても良い。
【００９５】
図１８において、花冠成形具形成用部材１Ｈは、第一のシート体１１Ａと、平面部材６と、第二のシート体１１Ｂとが一体的に順に重なった三層構造を有するものとして示されている。また、図１９において、この花冠成形具形成用部材１Ｈを用いて形成した花冠成形具２０は、周壁部２が、内側周壁部２Ａと外側周壁部２Ｂとを備える二重構造となっており、内側周壁部２Ａと外側周壁部２Ｂとの間に平面部材６を挟持したものとして示されている。
【００９６】
このような花冠成形具２０は、第一のシート体１１Ａと第二のシート体１１Ｂを透明部材とすることで、その間に挟まれた平面部材６を外部に露呈させることができるので、平面部材６が、カラーシート部材や模様付シート部材といった装飾用部材であると、花冠成形具の側面を装飾的に富んだものとすることができる。また、平面部材６が、メッセージ表示シート部材であると、相手に対する気持ちを文字等によりメッセージとして表すことで、花冠の特異な形状とメッセージから、単なる花束ではない装飾的効果を高めたプレゼントとすることができる。
【００９７】
＜第１０の実施の形態＞
また、本発明は、花冠成形具の形状をハート形以外の所望形状とすることもできる。すなわち、上述した第１の実施の形態とは、周壁部の頂縁部によって形成される形状が異なる。本実施の形態では、花冠成形具の形状を、くまやコアラといった動物の顔の輪郭を模した顔形とした場合について説明する。
【００９８】
本実施の形態における動物の顔形とした花冠成形具３０Ａは、図２０に示すように、たとえば、周壁部２において一つの狭幅域２３と、該狭幅域２３に隣接してその両側にそれぞれ位置する二つの中幅域２４，２４と、該中幅域２４に挟まれ、かつ、狭幅域２３に対向するように位置する一つの広幅域２５とが形成するように、周壁部２を四分する各山折り部４１ａ〜ｄにより構成された四つの屈曲部４を有する。
【００９９】
可逆的曲折手段５は、第８の実施の形態と同様に、屈曲部４近傍の周壁部２を固着せずに、屈曲部４の曲折状態の維持及びその解除を繰り返し行うことができるものとなっており、たとえば、図１６に示すように、屈曲部４の曲折方向を途中で変更する山折り部５１と谷折り部５２によって構成された折込み部５４を有する第三の可逆的曲折手段５Ｃとする。
【０１００】
以上のように構成される花冠成形具３０Ａは、たとえば、図２１に示すように、保形性と可撓性を有するシート体１１を用いた花冠成形具形成用部材１ＪＡによって形成することができる。具体的には、花冠成形具形成用部材１ＪＡは、円形をしたシート体１１の略中心に常時開口した状態の開口部３１を開放部３として設けると共に、周壁部２において、一つの狭幅域２３と、二つの中幅域２４，２４と、一つの広幅域２５とを形成するためのそれぞれの位置に山折り部４１ａ〜ｄとなる四つ屈曲部４を設ける。
図２１において、屈曲部４を設ける折り曲げ位置は何れも山折りとする一点鎖線１４Ａで示されている。一点鎖線１４Ａは、開口部３１の上方やや左寄りと上方やや右寄り、左方やや下寄り、及び右方やや下寄りにそれぞれ設ける。
【０１０１】
このような花冠成形具３０Ａは、狭幅域２３が動物の頭部、二つの中幅域２４，２４が同耳部、広幅域２５が同顔部にそれぞれ相当する輪郭を表す部分となる。ゆえに、花冠成形具３０Ａの周壁部２で複数の花冠の外側を取り囲むものとすると共に、狭幅域２３と中幅域２４と広幅域２５とに色彩等がそれぞれ異なる花冠を配することで、花冠の形状を装飾的に富んだものとすることができる。
【０１０２】
＜第１１の実施の形態＞
また、本発明では、第１０の実施の形態のように動物の顔の輪郭を模した顔形とした花冠成形具の形状を、他の方法によっても成形することができる。
【０１０３】
本実施の形態における動物の顔形とした花冠成形具３０Ｂは、図２２に示すように、たとえば、周壁部２において互いに隣接して位置する二つの小幅域２４，２４と、該小幅域２４下方に位置する一つの広幅域２５とが形成するように、周壁部２を三分する各山折り部４１ａ〜ｃにより構成された三つの屈曲部４を有する。
【０１０４】
可逆的曲折手段５は、第１の実施の形態と同様に、屈曲部４近傍の周壁部２を固着せずに、屈曲部４の曲折状態の維持及びその解除を繰り返し行うことができるものとなっており、たとえば、図３及び図６に示すように、屈曲部４の曲折方向を途中で変更する山折り部５１と谷折り部５２によって構成された折込み部５４を有するものを第一の可逆的曲折手段５Ａとする。
【０１０５】
以上のように構成される花冠成形具３０Ｂは、たとえば、図２２に示すように、保形性と可撓性を有するシート体１１を用いた花冠成形具形成用部材１ＪＢによって形成することができる。具体的には、花冠成形具形成用部材１ＪＢは、円形をしたシート体１１の略中心に常時開口した状態の開口部３１を開放部３として設けると共に、周壁部２において、二つの狭幅域２４，２４と、一つの広幅域２５とを形成するためのそれぞれの位置に山折り部４１ａ〜ｃとなる三つ屈曲部４を設ける。
図２３において、屈曲部４を設ける折り曲げ位置は何れも山折りとする一点鎖線１４Ａで示されている。一点鎖線１４Ａは、開口部３１の上方と左方やや下寄り、及び右方やや下寄りにそれぞれ設ける。
【０１０６】
このような花冠成形具３０Ｂは、二つの狭幅域２４，２４が動物の耳部、広幅域２５が同顔部にそれぞれ相当する輪郭を表す部分となる。ゆえに、花冠成形具３０Ｂの周壁部２で複数の花冠の外側を取り囲むものとすると共に、狭幅域２４と広幅域２５とに色彩等がそれぞれ異なる花冠を配することで、花冠の形状を装飾的に富んだものとすることができる。
【０１０７】
＜第１２の実施の形態＞
また、本発明では、花冠成形具の形状を、複数の花びらもしくは葉っぱを模した草花形とすることもできる。
本実施の形態における草花形とした花冠成形具４０は、図２４に示すように、たとえば、周壁部２を四等分するように均等間隔で形成された各山折り部４１ｅ〜ｈにより構成された四つの屈曲部４を有する。
【０１０８】
可逆的曲折手段５は、第８の実施の形態と同様に、屈曲部４近傍の周壁部２を固着せずに、屈曲部４の曲折状態の維持及びその解除を繰り返し行うことができる折込み部５４を有するものを第三の可逆的曲折手段５Ｃとする。
【０１０９】
以上のように構成される花冠成形具４０は、たとえば、図２５に示すように、保形性と可撓性を有するシート体１１を用いた花冠成形具形成用部材１Ｋによって形成することができる。具体的には、花冠成形具形成用部材１Ｋは、円形をしたシート体１１の略中心に常時開口した状態の開口部３１を開放部３として設けると共に、周壁部２を四つの均等域２６・・２６に分けるためのそれぞれの位置に山折り部４１ｅ〜ｈとなる四つの屈曲部４を設ける。
図２５において、屈曲部４を設ける折り曲げ位置は何れも山折りとする一点鎖線１４Ａで示されている。一点鎖線１４Ａは、開口部３１の左上と右上、左下、及び右下にそれぞれ設ける。
【０１１０】
このような花冠成形具４０は、四つの均等域２６が草花の花びらや葉っぱに相当する部分となる。ゆえに、花冠成形具４０の周壁部２で花冠を取り囲むことで、花冠の形状を、たとえば、四葉のクローバーのように装飾的に富んだものとすることができる。また、同様に、周壁部を五等分するように均等間隔で形成された五つの山折り部により構成された複数の屈曲部を有するものとすれば、花冠の形状を、梅の花や桜の花を模した花冠成形具とすることができる。
【０１１１】
＜第１３の実施の形態＞
また、上述した各実施の形態においては、何れも円形をしたシート体を用いた花冠成形具形成用部材１によって花冠成形具を形成しているが、シート体は、円形以外の異なる形状であっても良い。
本実施の形態では、四角形（正方形）のシート体を用いて、第１２の実施の形態と同様に、草花形とした花冠成形具を形成する場合について説明する。
【０１１２】
本実施の形態における草花形とした花冠成形具５０は、図２６に示すように、たとえば、四角形をしたシート体１１の各角部を頂点として周壁部２を四等分するように均等間隔で形成された各山折り部４１ｅ〜ｈにより構成された四つの屈曲部４を有する。
【０１１３】
可逆的曲折手段５は、第８の実施の形態と同様に、屈曲部４近傍の周壁部２を固着せずに、屈曲部４の曲折状態の維持及びその解除を繰り返し行うことができる折込み部５４を有するものを第三の可逆的曲折手段５Ｃとする。
【０１１４】
以上のように構成される花冠成形具５０は、たとえば、図２７に示すように、保形性と可撓性を有するシート体１１を用いた花冠成形具形成用部材１Ｌによって形成することができる。具体的には、花冠成形具形成用部材１Ｌは、四角形をしたシート体１１の略中心に常時開口した状態の開口部３１を開放部３として設けると共に、周壁部２を四つの均等域２７・・２７に分けるためのそれぞれの位置に山折り部４１ｅ〜ｈとなる四つの屈曲部４を設けて折り曲げる。すなわち、花冠成形具５０は、シート体の形状を変えることで、第１２の実施の形態における花冠成形具４０と同じ方法で成形することができる。
図２７において、屈曲部４を設ける折り曲げ位置は何れも山折りとする一点鎖線１４Ａで示されている。一点鎖線１４Ａは、開口部３１の左上と右上、左下、及び右下にそれぞれ設ける。
【０１１５】
このような花冠成形具５０は、四つの均等域２７が草花の花びらや葉っぱに相当する部分となる。ゆえに、花冠成形具５０の周壁部２で花冠を取り囲むことで、花冠の形状を、たとえば、額紫陽花のように装飾的に富んだものとすることができる。
【０１１６】
＜第１４の実施の形態＞
また、上述した第１２の実施の形態においては、円形以外の異なる形状として四角形のシート体を用いて花冠成形具を形成しているが、シート体は、四角形以外の異なる多角形状体であっても良い。
本実施の形態では、五角形のシート体を用いて、星形とした花冠成形具を形成する場合について説明する。
【０１１７】
本実施の形態における星形とした花冠成形具６０は、図２８に示すように、たとえば、五角形をしたシート体１１の各角部を頂点として周壁部２を五等分するように均等間隔で形成された各山折り部４１ｉ〜ｍにより構成された五つの屈曲部４を有する。
【０１１８】
可逆的曲折手段５は、第８の実施の形態と同様に、屈曲部４近傍の周壁部２を固着せずに、屈曲部４の曲折状態の維持及びその解除を繰り返し行うことができる折込み部５４を有するものを第三の可逆的曲折手段５Ｃとする。
【０１１９】
以上のように構成される花冠成形具６０は、たとえば、図２９に示すように、保形性と可撓性を有するシート体１１を用いた花冠成形具形成用部材１Ｍによって形成することができる。具体的には、花冠成形具形成用部材１Ｍは、五角形をしたシート体１１の略中心に常時開口した状態の開口部３１を開放部３として設けると共に、周壁部２を五つの均等域２８・・２８に分けるためにそれぞれの位置に山折り部４１ｉ〜ｍとなる五つの屈曲部４を設けて折り曲げる。すなわち、花冠成形具６０は、シート体の形状を変えることで、第１２の実施の形態における花冠成形具５０と同じ方法で成形することができる。
図２９において、屈曲部４を設ける折り曲げ位置は何れも山折りとする一点鎖線１４Ａで示されている。一点鎖線１４Ａは、開口部３１の左上と右上、左方やや下寄り、右方やや下寄り、及び下方にそれぞれ設ける。
【０１２０】
このような花冠成形具６０は、五つの均等域２８が星形の一片に相当する部分となる。ゆえに、花冠成形具６０の周壁部２で花冠を取り囲むことで、花冠の形状を幾何学的な装飾的に富んだものとすることができる。
【０１２１】
＜第１５の実施の形態＞
また、本発明では、花冠の形状をハート形や動物の顔形、草花形、星形（幾何学形）の他に、様々な形状をしたものとすることができる。すなわち、本発明は、上述した可逆的曲折手段、具体的には、第一の可逆的曲折手段５Ａ、第二の可逆的曲折手段５Ｂ、及び第三の可逆的曲折手段５Ｃを適宜用いることによって、様々な形状をした花冠成形具を成形し、花卉の花冠を保護しつつ所望形状を呈するようにすることができる。
以後、本実施の形態では、更なる一例として、円形のシート体を用いて、ローマ字（アルファベット）、アラビア数字、片仮名を模った花冠成形具を形成する場合についての概略を順次説明する。
【０１２２】
まず、図３０に示すように、ローマ字の「Ａ」形とした花冠成形具７０Ａは、たとえば、一つの山折り部４１と三つの谷折り部４２とにより構成された四つの屈曲部４を周壁部２に有すると共に、山折り部４１において周壁部２の頂縁部側に、第一の可逆的曲折手段５Ａを有する。
【０１２３】
このような花冠成形具７０Ａは、たとえば、図３１に示すように、保形性と可撓性を有する花冠成形具形成用部材１０１Ａを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる三つの二点鎖線１１４Ｂとを設ける。一点鎖線１１４Ａは、開口部３１の下方に設ける。三つの二点鎖線１１４Ｂは、開口部３１の上方と下左と右下に略均等間隔となるようにそれぞれ設ける。
【０１２４】
また、第一の可逆的曲折手段５Ａとする折り曲げ位置として、山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。
以上のように構成される花冠成形具形成用部材１０１Ａを上述した各実施の形態と同様に曲折することにより、ローマ字の「Ａ」形とした花冠成形具７０Ａを成形することができる。
【０１２５】
また、図３２に示すように、ローマ字の「Ｂ」形とした花冠成形具７０Ｂは、たとえば、一つの山折り部４１と二つの谷折り部４２とにより構成された三つの屈曲部４を周壁部２に有する。また、山折り部４１において周壁部２の頂縁部側に、第一の可逆的曲折手段５Ａを有すると共に、各谷折り部４２において周壁部２の頂縁部側にそれぞれ、第三の可逆的曲折手段５Ｃを有する。
【０１２６】
このような花冠成形具７０Ｂは、たとえば、図３３に示すように、保形性と可撓性を有する花冠成形具形成用部材１０１Ｂを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる二つの二点鎖線１１４Ｂとを設ける。一点鎖線１１４Ａは、開口部３１の右方に設けられる。二つの二点鎖線１１４Ｂは、開口部３１の左上と左下にそれぞれ設ける。
【０１２７】
また、第一の可逆的曲折手段５Ａとする折り曲げ位置として、山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。さらに、第三の可逆的曲折手段５Ｃとする折り曲げ位置として、谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｂを上述した各実施の形態と同様に曲折することにより、ローマ字の「Ｂ」形とした花冠成形具７０Ｂを成形することができる。
【０１２８】
また、図３４に示すように、ローマ字の「Ｃ」形とした花冠成形具７０Ｃは、たとえば、二つの山折り部４１と二つの谷折り部４２とにより構成された四つの屈曲部４を周壁部２に有する。また、各山折り部４１において周壁部２の頂縁部側に、第一の可逆的曲折手段５Ａをそれぞれ有すると共に、各谷折り部４２において周壁部２の基端部側にそれぞれ、第二の可逆的曲折手段５Ｂを有する。
【０１２９】
このような花冠成形具７０Ｃは、たとえば、図３４に示すように、保形性と可撓性を有する花冠成形具形成用部材１０１Ｃを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる二つの二点鎖線１１４Ｂとを設ける。二つの一点鎖線１１４Ａは、開口部３１の上方やや右寄りと下方やや右寄りにそれぞれ設ける。二つの二点鎖線１１４Ｂは、開口部３１の右方やや上寄りと右方やや下寄りにそれぞれ設ける。
【０１３０】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。さらに、第二の可逆的曲折手段５Ｂとする折り曲げ位置として、谷折り部４２となる各二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｃを上述した各実施の形態と同様に曲折することにより、ローマ字の「Ｃ」形とした花冠成形具７０Ｃを成形することができる。
【０１３１】
また、図３６に示すように、ローマ字の「Ｄ」形とした花冠成形具７０Ｄは、たとえば、二つの谷折り部４２からなる二つの屈曲部４を周壁部２に有すると共に、各谷折り部４２において周壁部２の頂縁部側にそれぞれ、第三の可逆的曲折手段５Ｃを有する。
【０１３２】
このような花冠成形具７０Ｄは、たとえば、図３７に示すように、保形性と可撓性を有する花冠成形具形成用部材１０１Ｄを用いて形成することができる。具体的には、中心に常時開口した状態の開口部３１を開放部３として有する円形をしたシート体１１において、屈曲部４とする折り曲げ位置として、谷折り部４２となる二つの二点鎖線１１４Ｂを設ける。二つの二点鎖線１１４Ｂは、開口部３１の左上と左下にそれぞれ設ける。
【０１３３】
また、第三の可逆的曲折手段５Ｃとする折り曲げ位置として、谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｄを上述した各実施の形態と同様に曲折することにより、ローマ字の「Ｄ」形とした花冠成形具７０Ｄを成形することができる。
【０１３４】
また、図３８に示すように、ローマ字の「Ｅ」形とした花冠成形具７０Ｅは、たとえば、二つの山折り部４１と三つの谷折り部４２とにより構成された三つの屈曲部４を周壁部２に有する。また、各山折り部４１において周壁部２の頂縁部側にそれぞれ、第一の可逆的曲折手段５Ａを有すると共に、二つの山折り部４１に挟まれた谷折り部４２を除く他の二つの谷折り部４２において周壁部２の頂縁部側にそれぞれ、第三の可逆的曲折手段５Ｃを有する。
【０１３５】
このような花冠成形具７０Ｅは、たとえば、図３９に示すように、保形性と可撓性を有する花冠成形具形成用部材１０１Ｅを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる三つの二点鎖線１１４Ｂとを設ける。二つの一点鎖線１１４Ａは、開口部３１の右上やや下寄りと右下やや上寄りにそれぞれ設ける。三つの二点鎖線１１４Ｂは、開口部３１の右方と、同左上と左下にそれぞれ設ける。
【０１３６】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。さらに、第三の可逆的曲折手段５Ｃとする折り曲げ位置として、開口部３１の左上と左下にそれぞれ設けられた谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｅを上述した各実施の形態と同様に曲折することにより、ローマ字の「Ｅ」形とした花冠成形具７０Ｅを成形することができる。
【０１３７】
また、図４０に示すように、ローマ字の「Ｆ」形とした花冠成形具７０Ｆは、たとえば、二つの山折り部４１と四つの谷折り部４２とにより構成された六つの屈曲部４を周壁部２に有する。また、各山折り部４１において周壁部２の頂縁部側にそれぞれ、第一の可逆的曲折手段５Ａを有すると共に、二つの山折り部４１に挟まれた一つの谷折り部４２と、山折り部４１を挟んでこの谷折り部４２に隣接する一つの谷折り部４２において周壁部２の頂縁部側にそれぞれ、第一の可逆的曲折手段５Ａを有する。また、第一の可逆的曲折手段５Ａを有する谷折り部４２を除く他の二つの谷折り部４２において周壁部２の基端部側にそれぞれ、第二の可逆的曲折手段５Ｂを有すると共に、同谷折り部４２において周壁部２の頂縁部側にそれぞれ、第三の可逆的曲折手段５Ｃを有する。
【０１３８】
このような花冠成形具７０Ｆは、たとえば、図４１に示すように、保形性と可撓性を有する花冠成形具形成用部材１０１Ｆを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる四つの二点鎖線１１４Ｂとを設ける。二つの一点鎖線１１４Ａは、開口部３１の右方やや上寄りと下方やや右寄りにそれぞれ設ける。四つの二点鎖線１１４Ｂは、開口部３１の左上と左下、及び上方やや右寄り、右方やや下寄りにそれぞれ設ける。
【０１３９】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第一の可逆的曲折手段５Ａとする折り曲げ位置として、開口部３１の上方やや右寄りと右方やや下寄りに設けられた谷折り部４２となる各二点鎖線１１４Ｂの外周縁部側に連続してそれぞれ、山折り部４１となる各一点鎖線１１４Ａと、この一点鎖線１１４Ａを挟んで二方向に分岐する、それぞれ谷折り部４２となる二つの二点鎖線１１４Ｂを設ける。また、第二の可逆的曲折手段５Ｂとする折り曲げ位置として、第一の可逆的曲折手段５Ａを有する谷折り部４２を除く開口部３１の左上と左下に設けられた谷折り部４２となる二つの二点鎖線１１４Ｂの内周縁部側にそれぞれ、この二点鎖線１１４Ｂを挟んで二本の曲折補助切込み５３，５３を設ける。さらに、第三の可逆的曲折手段５Ｃとする折り曲げ位置として、第二の可逆的曲折手段５Ｂを有する谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｆを上述した各実施の形態と同様に曲折することにより、ローマ字の「Ｆ」形とした花冠成形具７０Ｆを成形することができる。
【０１４０】
また、図４２に示すように、ローマ字の「Ｇ」形とした花冠成形具７０Ｇは、たとえば、二つの山折り部４１と四つの谷折り部４２とにより構成された六つの屈曲部４を周壁部２に有する。また、各山折り部４１において周壁部２の頂縁部側にそれぞれ、第一の可逆的曲折手段５Ａを有すると共に、各谷折り部４２において周壁部２の頂縁部側にそれぞれ、第三の可逆的曲折手段５Ｃを有する。
【０１４１】
このような花冠成形具７０Ｇは、たとえば、図４３に示すように、保形性と可撓性を有する花冠成形具形成用部材１０１Ｇを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる四つの二点鎖線１１４Ｂとを設ける。二つの一点鎖線１１４Ａは、開口部３１の右方と右方やや上寄りにそれぞれ設ける。四つの二点鎖線１１４Ｂは、開口部３１の上方と下方、及び右方ややした寄り、下方やや右寄りにそれぞれ設ける。
【０１４２】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。さらに、第三の可逆的曲折手段５Ｃとする折り曲げ位置として、谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｇを上述した各実施の形態と同様に曲折することにより、ローマ字の「Ｇ」形とした花冠成形具７０Ｇを成形することができる。
【０１４３】
また、図４４に示すように、ローマ字の「Ｈ」形とした花冠成形具７０Ｈは、たとえば、四つの山折り部４１と四つの谷折り部４２とにより構成された八つの屈曲部４を周壁部２に有すると共に、各山折り部４１において周壁部２の頂縁部側に、第一の可逆的曲折手段５Ａをそれぞれ有する。
【０１４４】
このような花冠成形具７０Ｈは、たとえば、図４５に示すように、保形性と可撓性を有する花冠成形具形成用部材１０１Ｈを用いて形成することができる。具体的には、中心に常時開口した状態の開口部３１を開放部３として有する円形をしたシート体１１において、屈曲部４とする折り曲げ位置として、山折り部４１となる四つの一点鎖線１１４Ａと、谷折り部４２となる四つの二点鎖線１１４Ｂとを設ける。四つの一点鎖線１１４Ａは、開口部３１の上方やや右寄りと上方やや左寄り、及び下方やや右寄りと下方やや左寄りにそれぞれ設けられる。この四つの一点鎖線１１４Ａは、上方やや右寄りの一点鎖線１１４Ａと下方やや左寄りの一点鎖線１１４Ａとが開口部３１を挟んで一直線となるように、及び上方やや左寄りの一点鎖線１１４Ａと下方やや右寄りの一点鎖線１１４Ａとが開口部３１を挟んで一直線となるように位置している。また、四つの二点鎖線１１４Ｂは、開口部３１の右上と右下、及び左上と左下に略均等間隔となるようにそれぞれ設けられる。この四つの二点鎖線１１４Ｂは、右上の二点鎖線１１４Ｂと左下の二点鎖線１１４Ｂとが開口部３１を挟んで一直線となるように、及び左上の二点鎖線１１４Ｂと右下の二点鎖線１１４Ｂとが開口部３１を挟んで一直線となるように位置している。
【０１４５】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。
以上のように構成される花冠成形具形成用部材１０１Ｈを上述した各実施の形態と同様に曲折することにより、ローマ字の「Ｈ」形とした花冠成形具７０Ｈを成形することができる。
【０１４６】
また、図４６に示すように、ローマ字の「Ｉ」形とした花冠成形具７０Ｉは、たとえば、四つの谷折り部４２からなる四つの屈曲部４を周壁部２に有すると共に、各谷折り部４２において周壁部２の頂縁部側にそれぞれ、第三の可逆的曲折手段５Ｃを有する。
【０１４７】
このような花冠成形具７０Ｉは、たとえば、図４６に示すように、保形性と可撓性を有する花冠成形具形成用部材１０１Ｉを用いて形成することができる。具体的には、中心に常時開口した状態の開口部３１を開放部３として有する円形をしたシート体１１において、屈曲部４とする折り曲げ位置として、谷折り部４２となる四つの二点鎖線１１４Ｂを設ける。四つの二点鎖線１１４Ｂは、開口部３１の上方やや右寄りと上方やや左寄り、及び下方右寄りと下方左寄りにそれぞれ設けられる。この四つの二点鎖線１１４Ｂは、上方やや右寄りの二点鎖線１１４Ｂと下方左寄りの二点鎖線１１４Ｂとが開口部３１を挟んで一直線となるように、及び上方やや左寄りの二点鎖線１１４Ｂと下方右寄りの二点鎖線１１４Ｂとが開口部３１を挟んで一直線となるように位置している。
【０１４８】
また、第三の可逆的曲折手段５Ｃとする折り曲げ位置として、谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｉを上述した各実施の形態と同様に曲折することにより、ローマ字の「Ｉ」形とした花冠成形具７０Ｉを成形することができる。
【０１４９】
また、図４８に示すように、ローマ字の「Ｊ」形とした花冠成形具７０Ｊは、たとえば、二つの山折り部４１と四つの谷折り部４２とにより構成された六つの屈曲部４を周壁部２に有する。また、各山折り部４１において周壁部２の頂縁部側にそれぞれ、第一の可逆的曲折手段５Ａを有すると共に、各谷折り部４２において周壁部２の頂縁部側にそれぞれ、第三の可逆的曲折手段５Ｃを有する。
【０１５０】
このような花冠成形具７０Ｊは、たとえば、図４９に示すように、保形性と可撓性を有する花冠成形具形成用部材１０１Ｊを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる四つの二点鎖線１１４Ｂを設ける。二点鎖線１１４Ｂは、この二つの一点鎖線１１４Ａを挟むように、適宜間隔を有して二つずつ設ける。二つの一点鎖線１１４Ａは、開口部３１の左方と左方やや下寄りにそれぞれ設ける。四つの二点鎖線１１４Ｂは、開口部３１の上方やや右寄りと上方やや左寄り、及び下方と下方やや左寄りにそれぞれ設ける。
【０１５１】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。さらに、第三の可逆的曲折手段５Ｃとする折り曲げ位置として、谷折り部４２となる全ての二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成されるシート体１０１Ｊを上述した各実施の形態と同様に曲折することにより、ローマ字の「Ｊ」形とした花冠成形具７０Ｊを成形することができる。
【０１５２】
また、図５０に示すように、ローマ字の「Ｋ」形とした花冠成形具７０Ｋは、たとえば、三つの山折り部４１と四つの谷折り部４２とにより構成された七つの屈曲部４を周壁部２に有する。また、各山折り部４１において周壁部２の頂縁部側にそれぞれ、第一の可逆的曲折手段５Ａを有すると共に、二つの山折り部４１に挟まれた二つの谷折り部４２において周壁部２の基端部側にそれぞれ、第二の可逆的曲折手段５Ｂを有する。
【０１５３】
このような花冠成形具７０Ｋは、たとえば、図５１に示すように、保形性と可撓性を有するシート体１０１Ｋを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる四つの二点鎖線１１４Ｂを設ける。三つの一点鎖線１１４Ａは、開口部３１の上方やや左寄りと下方やや左寄り、及び右方にそれぞれ設けられる。四つの二点鎖線１１４Ｂは、開口部３１の左上と右上、及び左下と右下にそれぞれ設けられる。
【０１５４】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の左上と左下に設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成されるシート体１０１Ｋを上述した各実施の形態と同様に曲折することにより、ローマ字の「Ｋ」形とした花冠成形具７０Ｋを成形することができる。
【０１５５】
また、図５２に示すように、ローマ字の「Ｌ」形とした花冠成形具７０Ｌは、たとえば、一つの山折り部４１と五つの谷折り部４２とにより構成された六つの屈曲部４を周壁部２に有する。また、山折り部４１において周壁部２の頂縁部側に第一の可逆的曲折手段５Ａを有すると共に、山折り部４１から一番離れた谷折り部４２において周壁部２の基端部側に第二の可逆的曲折手段５Ｂを有する。さらに、山折り部４１に隣接する二つずつの谷折り部４２において周壁部２の頂縁部側にそれぞれ第三の可逆的曲折手段５Ｃを有する。山折り部４１に隣接する谷折り部４２は、第二の可逆的曲折手段５Ｂを有する谷折り部４２を除いた残りの谷折り部４２をいう。
【０１５６】
このような花冠成形具７０Ｌは、たとえば、図５３に示すように、保形性と可撓性を有するシート体１０１Ｌを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる五つの二点鎖線１１４Ｂとを設ける。一点鎖線１１４Ａは、開口部３１の右方に設けられる。五つの二点鎖線１１４Ｂは、開口部３１の上方やや左寄りと上方やや右寄り、右下、下方やや右寄り、及び左方やや下寄りにそれぞれ設けられる。
【０１５７】
また、第一の可逆的曲折手段５Ａとする折り曲げ位置として、山折り部４１となる一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の左方やや下寄りに設けられた谷折り部４２となる二つの二点鎖線１１４Ｂの内周縁部側にそれぞれ、この二点鎖線１１４Ｂを挟んで二本の曲折補助切込み５３，５３を設ける。さらに、第三の可逆的曲折手段５Ｃとする折り曲げ位置として、第二の可逆的曲折手段５Ｂを有する谷折り部４２となる二点鎖線１１４Ｂを除く他の二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｌを上述した各実施の形態と同様に曲折することにより、ローマ字の「Ｌ」形とした花冠成形具７０Ｌを成形することができる。
【０１５８】
また、図５４に示すように、ローマ字の「Ｍ」形とした花冠成形具７０Ｍは、たとえば、二つの山折り部４１と六つの谷折り部４２とにより構成された八つの屈曲部４を周壁部２に有する。また、各山折り部４１において周壁部２の頂縁部側に、第一の可逆的曲折手段５Ａをそれぞれ有し、この第一の可逆的曲折手段５Ａは、一方は浅く折込まれ、他方は深く折込まれたものとなっている。さらに、浅く折込まれた山折り部４１に隣接する二つの谷折り部４２において周壁部２の基端部側に第二の可逆的曲折手段５Ｂを有する。
【０１５９】
このような花冠成形具７０Ｍは、たとえば、図５５に示すように、保形性と可撓性を有する花冠成形具形成用部材１０１Ｍを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる六つの二点鎖線１１４Ｂを設ける。二つの一点鎖線１１４Ａは、開口部３１の上方と下方にそれぞれ設けられる。この二つの一点鎖線１１４Ａは、開口部３１を挟んで対向する位置に直線状となるように設けられる。また、六つの二点鎖線１１４Ｂは、開口部３１の左上と右上、左下と下方やや左寄り、及び右下と下方やや右寄りにそれぞれ設けられる。この六つの二点鎖線１１４Ｂは、左上と左下及び下方やや左寄りの二点鎖線１１４Ｂと、右上と右下及び下方やや右寄りの二点鎖線１１４Ｂとが、直線状となるように設けられた二つの一点鎖線１１４Ａを軸（境）として対称となるように位置している。
【０１６０】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。一点鎖線１１４Ａの外周縁部側に連続して設けられる二点鎖線１１４Ｂは、上方に位置する一点鎖線１１４Ａに連続して設けられる方が短く、下方に位置する一点鎖線１１４Ａに連続して設けられる方が長くなっている。また、第二の可逆的曲折手段５Ｂとする折り曲げ位置として、開口部３１の左上及び右上に設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｍを上述した各実施の形態と同様に曲折することにより、ローマ字の「Ｍ」形とした花冠成形具７０Ｍを成形することができる。
【０１６１】
また、図５６に示すように、ローマ字の「Ｎ」形とした花冠成形具７０Ｎは、たとえば、二つの山折り部４１と六つの谷折り部４２とにより構成された八つの屈曲部４を周壁部２に有する。また、各山折り部４１において周壁部２の頂縁部側にそれぞれ第一の可逆的曲折手段５Ａを有すると共に、各山折り部４１に隣接する一方の谷折り部４２において周壁部２の基端部側にそれぞれ第二の可逆的曲折手段５Ｂを有する。
【０１６２】
このような花冠成形具７０Ｎは、たとえば、図５７に示すように、保形性と可撓性を有する花冠成形具形成用部材１０１Ｎを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる六つの二点鎖線１１４Ｂを設ける。二つの一点鎖線１１４Ａは、開口部３１の上方と下方にそれぞれ設けられる。この二つの一点鎖線１１４Ａは、開口部３１を挟んで対向する位置に直線状となるように設けられる。また、六つの二点鎖線１１４Ｂは、開口部３１の左上と右上、上方やや右寄り、及び左下と右下、下方やや左寄りにそれぞれ設けられる。この六つの二点鎖線１１４Ｂは、左上と左下及び下方やや左寄りの二点鎖線１１４Ｂと、右上と右下及び上方やや右寄りの二点鎖線１１４Ｂとが、直線状となるように設けられた二つの一点鎖線１１４Ａを軸（境）として上下反転対称となるように位置している。
【０１６３】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の左上及び右下に設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｎを上述した各実施の形態と同様に曲折することにより、ローマ字の「Ｎ」形とした花冠成形具７０Ｎを成形することができる。
【０１６４】
また、図５８に示すように、ローマ字の「Ｏ」形とした花冠成形具７０Ｏは、たとえば、一つの山折り部４１と一つの谷折り部４２とにより構成された二つの屈曲部４を周壁部２に有する。また、山折り部４１において周壁部２の頂縁部側に、第三の可逆的曲折手段５Ｃを有すると共に、谷折り部４２と重なる周壁部２の頂縁部に、谷折り部４２の外縁側を挟み込む折込補助切込み５３を有する。
【０１６５】
このような花冠成形具７０Ｏは、たとえば、図５９に示すように、保形性と可撓性を有する花冠成形具形成用部材１０１Ｏを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる一つの二点鎖線１１４Ｂを設ける。一点鎖線１１４Ａは、開口部３１の上方やや右寄りに設けられる。二点鎖線１１４Ｂは、開口部３１の上方やや左寄りに設けられる。この一点鎖線１１４Ａと二点鎖線１１４Ｂによる曲折によって、周壁部２の一部が互いに重なった状態となる。
【０１６６】
また、第三の可逆的曲折手段５Ｃとする折り曲げ位置として、山折り部４１となる一点鎖線１１４Ａの外周縁部側にそれぞれ、この一点鎖線１１４Ａを挟んで二方向に分岐する、一方が山折り部４１となる一点鎖線１１４Ａ及び他方が谷折り部４２となる二点鎖線１１４Ｂを設ける。さらに、一点鎖線１１４Ａを中心として二点鎖線１１４Ｂの位置と対称となる周壁部２の頂縁部に折込補助切込み５３を設ける。すなわち、折込補助切込み５３は、周壁部２の一部が互いに重なった状態の二点鎖線１１４Ｂの外周縁部側を挟み込むように設けられている。
以上のように構成される花冠成形具形成用部材１０１Ｏを上述した各実施の形態と同様に曲折することにより、ローマ字の「Ｏ」形とした花冠成形具７０Ｏを成形することができる。
【０１６７】
また、図６０に示すように、ローマ字の「Ｐ」形とした花冠成形具７０Ｐは、たとえば、一つの山折り部４１と二つの谷折り部４２とにより構成された三つの屈曲部４を周壁部２に有する。また、山折り部４１において周壁部２の頂縁部側に第一の可逆的曲折手段５Ａを有する。さらに、一つの谷折り部４２において周壁部２の基端部側に第二の可逆的曲折手段５Ｂを有すると共に、全て（二つ）の谷折り部４２において周壁部２の頂縁部側にそれぞれ、第三の可逆的曲折手段５Ｃを有する。
【０１６８】
このような花冠成形具７０Ｐは、たとえば、図６１に示すように、保形性と可撓性を有する花冠成形具形成用部材１０１Ｐを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる二つの二点鎖線１１４Ｂとを設ける。一点鎖線１１４Ａは、開口部３１の右方やや上寄りに設けられる。二点鎖線１１４Ｂは、開口部３１の上方、及び下方やや左寄りに設けられる。
【０１６９】
また、第一の可逆的曲折手段５Ａとする折り曲げ位置として、山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の下方やや左寄りに設けられた谷折り部４２となる二点鎖線１１４Ｂの内周縁部側に、この二点鎖線１１４Ｂを挟んで二本の曲折補助切込み５３，５３を設ける。さらに、第三の可逆的曲折手段５Ｃとする折り曲げ位置として、谷折り部４２となる各二点鎖線１１４Ｂの外周縁部側にそれぞれ、この二点鎖線１１４Ｂを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｐを上述した各実施の形態と同様に曲折することにより、ローマ字の「Ｐ」形とした花冠成形具７０Ｐを成形することができる。
【０１７０】
また、図６２に示すように、ローマ字の「Ｑ」形とした花冠成形具７０Ｑは、たとえば、一つの山折り部４１と一つの谷折り部４２とにより構成された二つの屈曲部４を周壁部２に有する。また、谷折り部４２において周壁部２の基端側に第二の可逆的曲折手段５Ｂを有すると共に、山折り部４１において周壁部２の頂縁部側に第三の可逆的曲折手段５Ｃを有する。
【０１７１】
このような花冠成形具７０Ｑは、たとえば、図６３に示すように、保形性と可撓性を有する花冠成形具形成用部材１０１Ｑを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる一つの二点鎖線１１４Ｂを設ける。一点鎖線１１４Ａは、開口部３１の下方やや右寄りに設けられる。二点鎖線１１４Ｂは、開口部３１の下方やや左寄りに設けられる。
【０１７２】
また、第二の可逆的曲折手段５Ｂとする折り曲げ位置として、谷折り部４２となる二点鎖線１１４Ｂの内周縁部側に、この二点鎖線１１４Ｂを挟んで二本の曲折補助切込み５３，５３を設ける。さらに、第三の可逆的曲折手段５Ｃとする折り曲げ位置として、山折り部４１となる一点鎖線１１４Ａの外周縁部側に、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１Ｑを上述した各実施の形態と同様に曲折することにより、ローマ字の「Ｑ」形とした花冠成形具７０Ｑを成形することができる。
【０１７３】
また、図６４に示すように、ローマ字の「Ｒ」形とした花冠成形具７０Ｒは、たとえば、二つの山折り部４１と三つの谷折り部４２とにより構成された五つの屈曲部４を周壁部２に有する。また、一つの山折り部４１において周壁部２の頂縁部側に第一の可逆的曲折手段５Ａを有すると共に、他の山折り部４１に隣接する二つの谷折り部４２において周壁部２の基端部側に第二の可逆的曲折手段５Ｂを有する。
【０１７４】
このような花冠成形具７０Ｒは、たとえば、図６５に示すように、保形性と可撓性を有する花冠成形具形成用部材１０１Ｒを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる三つの二点鎖線１１４Ｂとを設ける。二つの一点鎖線１１４Ａは、開口部３１の右方やや下寄りと下方やや左寄りにそれぞれ設けられる。三つの二点鎖線１１４Ｂは、開口部３１の上方、下方やや左寄り、及び左方やや下寄りにそれぞれ設けられる。
【０１７５】
また、第一の可逆的曲折手段５Ａとする折り曲げ位置として、開口部３１の右方やや下寄りに設けられた山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の下方やや左寄り、及び左方やや下寄りに設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｒを上述した各実施の形態と同様に曲折することにより、ローマ字の「Ｒ」形とした花冠成形具７０Ｒを成形することができる。
【０１７６】
また、図６６に示すように、ローマ字の「Ｓ」形とした花冠成形具７０Ｓは、たとえば、二つの山折り部４１と二つの谷折り部４２とにより構成された四つの屈曲部４を周壁部２に有する。また、各山折り部４１において周壁部２の頂縁部側にそれぞれ第一の可逆的曲折手段５Ａを有すると共に、各谷折り部４２において周壁部２の基端部側にそれぞれ第二の可逆的曲折手段５Ｂを有する。
【０１７７】
このような花冠成形具７０Ｓは、たとえば、図６７に示すように、保形性と可撓性を有する花冠成形具形成用部材１０１Ｓを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる二つの二点鎖線１１４Ｂとを設ける。二つの一点鎖線１１４Ａは、開口部３１の上方やや右寄りと下方やや左寄りにそれぞれ設けられる。この二つの一点鎖線１１４Ａは、開口部３１を挟んで一直線となるように位置している。二つの二点鎖線１１４Ｂは、開口部３１の上方やや左寄り、及び下方やや右寄りにそれぞれ設けられる。この二つの二点鎖線１１４Ｂは、開口部３１を挟んで一直線となるように位置している。すなわち、一点鎖線１１４Ａと二点鎖線１１４Ｂは交互に共に設けられると共に、開口部３１を挟んで対向するようにそれぞれ設けられる。
【０１７８】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる各二点鎖線１１４Ｂの内周縁部側に、この二点鎖線１１４Ｂを挟んで二本の曲折補助切込み５３，５３をそれぞれ設ける。
以上のように構成される花冠成形具形成用部材１０１Ｓを上述した各実施の形態と同様に曲折することにより、ローマ字の「Ｓ」形とした花冠成形具７０Ｓを成形することができる。
【０１７９】
また、図６８に示すように、ローマ字の「Ｔ」形とした花冠成形具７０Ｔは、たとえば、二つの山折り部４１と三つの谷折り部４２とにより構成された五つの屈曲部４を周壁部２に有する。また、各山折り部４１において周壁部２の頂縁部側にそれぞれ第一の可逆的曲折手段５Ａを有すると共に、山折り部４１に挟まれた間に位置する一つの谷折り部４２において周壁部２の基端部側に第二の可逆的曲折手段５Ｂを有する。
【０１８０】
このような花冠成形具７０Ｔは、たとえば、図６９に示すように、保形性と可撓性を有する花冠成形具形成用部材１０１Ｔを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる三つの二点鎖線１１４Ｂとを設ける。二つの一点鎖線１１４Ａは、開口部３１の左方やや下寄りと右方やや下寄りにそれぞれ設けられる。三つの二点鎖線１１４Ｂは、開口部３１の左方やや上寄りと右方やや上寄り、及び下方にそれぞれ設けられる。
【０１８１】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の下方に設けられた谷折り部４２となる二点鎖線１１４Ｂの内周縁部側に、この二点鎖線１１４Ｂを挟んで二本の曲折補助切込み５３，５３を設ける。
以上のように構成される花冠成形具形成用部材１０１Ｔを上述した各実施の形態と同様に曲折することにより、ローマ字の「Ｔ」形とした花冠成形具７０Ｔを成形することができる。
【０１８２】
また、図７０に示すように、ローマ字の「Ｕ」形とした花冠成形具７０Ｕは、たとえば、三つの山折り部４１と二つの谷折り部４２とにより構成された五つの屈曲部４を周壁部２に有する。また、各山折り部４１において周壁部２の頂縁部側にそれぞれ第一の可逆的曲折手段５Ａを有すると共に、各谷折り部４２において周壁部２の基端部側にそれぞれ第二の可逆的曲折手段５Ｂを有する。
【０１８３】
このような花冠成形具７０Ｕは、たとえば、図７１に示すように、保形性と可撓性を有する花冠成形具形成用部材１０１Ｕを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる二つの二点鎖線１１４Ｂとを設ける。三つの一点鎖線１１４Ａは、開口部３１の上方と、上方やや左寄り及び上方やや右寄りにそれぞれ設けられる。二つの二点鎖線１１４Ｂは、開口部３１の左方やや上寄りと右方やや上寄りにそれぞれ設けられる。
【０１８４】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる各二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｕを上述した各実施の形態と同様に曲折することにより、ローマ字の「Ｕ」形とした花冠成形具７０Ｕを成形することができる。
【０１８５】
また、図７２に示すように、ローマ字の「Ｖ」形とした花冠成形具７０Ｖは、たとえば、一つの山折り部４１と三つの谷折り部４２とにより構成された四つの屈曲部４を周壁部２に有する。また、山折り部４１において周壁部２の頂縁部側に第一の可逆的曲折手段５Ａを有すると共に、各谷折り部４２において周壁部２の基端部側にそれぞれ第二の可逆的曲折手段５Ｂを有する。
【０１８６】
このような花冠成形具７０Ｖは、たとえば、図７３に示すように、保形性と可撓性を有する花冠成形具形成用部材１０１Ｖを用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる三つの二点鎖線１１４Ｂとを設ける。一点鎖線１１４Ａは、開口部３１の上方に設けられる。三つの二点鎖線１１４Ｂは、開口部３１の左方やや上寄りと右方やや上寄り、及び下方にそれぞれ設けられる。
【０１８７】
また、第一の可逆的曲折手段５Ａとする折り曲げ位置として、山折り部４１となる一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｖを上述した各実施の形態と同様に曲折することにより、ローマ字の「Ｖ」形とした花冠成形具７０Ｖを成形することができる。
【０１８８】
また、図７４に示すように、ローマ字の「Ｗ」形とした花冠成形具７０Ｗは、たとえば、三つの山折り部４１と五つの谷折り部４２とにより構成された八つの屈曲部４を周壁部２に有する。また、一つの谷折り部４２において周壁部２の頂縁部側に第一の可逆的曲折手段５Ａを有すると共に、二つの谷折り部４２において周壁部２の基端部側にそれぞれ第二の可逆的曲折手段５Ｂを有する。
【０１８９】
このような花冠成形具７０Ｗは、たとえば、図７５に示すように、保形性と可撓性を有する花冠成形具形成用部材１０１Ｗを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる五つの二点鎖線１１４Ｂとを設ける。三つの一点鎖線１１４Ａは、開口部３１の上方やや左寄りと上方やや右寄り、及び下方にそれぞれ設けられる。五つの二点鎖線１１４Ｂは、開口部３１の左上と上方と右上、及び左下と右下にそれぞれ設けられる。
【０１９０】
また、第一の可逆的曲折手段５Ａとする折り曲げ位置として、開口部３１の上方に設けられた谷折り部４２となる二点鎖線１１４Ｂの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の左下と右下に設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｗを上述した各実施の形態と同様に曲折することにより、ローマ字の「Ｗ」形とした花冠成形具７０Ｗを成形することができる。
【０１９１】
また、図７６に示すように、ローマ字の「Ｘ」形とした花冠成形具７０Ｘは、たとえば、四つの山折り部４１と四つの谷折り部４２とにより構成された八つの屈曲部４を周壁部２に有する。また、各山折り部４１において周壁部２の頂縁部側に第一の可逆的曲折手段５Ａを有すると共に、各谷折り部４２において周壁部２の基端部側にそれぞれ第二の可逆的曲折手段５Ｂを有する。
【０１９２】
このような花冠成形具７０Ｘは、たとえば、図７７に示すように、保形性と可撓性を有する花冠成形具形成用部材１０１Ｘを用いて形成することができる。具体的には、中心に常時開口した状態の開口部３１を開放部３として有する円形をしたシート体１１において、屈曲部４とする折り曲げ位置として、山折り部４１となる四つの一点鎖線１１４Ａと、谷折り部４２となる四つの二点鎖線１１４Ｂとを設ける。四つの一点鎖線１１４Ａは、開口部３１の上方と下方、及び左方と右方にそれぞれ設けられる。四つの二点鎖線１１４Ｂは、開口部３１の左上と右上、及び左下と右下にそれぞれ設けられる。
【０１９３】
また、第一の可逆的曲折手段５Ａとする折り曲げ位置として、山折り部４１となる全ての一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａをそれぞれ設ける。また、第二の可逆的曲折手段５Ｂとする折り曲げ位置として、谷折り部４２となる全ての二点鎖線１１４Ｂの内周縁部側に、この二点鎖線１１４Ｂを挟んで二本の曲折補助切込み５３，５３をそれぞれ設ける。
以上のように構成される花冠成形具形成用部材１０１Ｘを上述した各実施の形態と同様に曲折することにより、ローマ字の「Ｘ」形とした花冠成形具７０Ｘを成形することができる。
【０１９４】
また、図７８に示すように、ローマ字の「Ｙ」形とした花冠成形具７０Ｙは、たとえば、三つの山折り部４１と三つの谷折り部４２とにより構成された六つの屈曲部４を周壁部２に有する。また、各山折り部４１において周壁部２の頂縁部側にそれぞれ第一の可逆的曲折手段５Ａを有すると共に、各谷折り部４２において周壁部２の基端部側にそれぞれ第二の可逆的曲折手段５Ｂを有する。
【０１９５】
このような花冠成形具７０Ｙは、たとえば、図７９に示すように、保形性と可撓性を有する花冠成形具形成用部材１０１Ｙを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる三つの二点鎖線１１４Ｂとを設ける。三つの一点鎖線１１４Ａは、開口部３１の上方と、左方やや下寄り及び右方やや下寄りにそれぞれ設けられる。三つの二点鎖線１１４Ｂは、開口部３１の下方と、左方やや上寄り及び右方やや上寄りにそれぞれ設けられる。
【０１９６】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側に、この二点鎖線１１４Ｂを挟んで二本の曲折補助切込み５３，５３をそれぞれ設ける。
以上のように構成される花冠成形具形成用部材１０１Ｙを上述した各実施の形態と同様に曲折することにより、ローマ字の「Ｙ」形とした花冠成形具７０Ｙを成形することができる。
【０１９７】
また、図８０に示すように、ローマ字の「Ｚ」形とした花冠成形具７０Ｚは、たとえば、二つの山折り部４１と四つの谷折り部４２とにより構成された六つの屈曲部４を周壁部２に有する。また、各山折り部４１において周壁部２の頂縁部側にそれぞれ第一の可逆的曲折手段５Ａを有すると共に、対向する二つの谷折り部４２において周壁部２の基端部側にそれぞれ第二の可逆的曲折手段５Ｂを有する。
【０１９８】
このような花冠成形具７０Ｚは、たとえば、図８１に示すように、保形性と可撓性を有する花冠成形具形成用部材１０１Ｚを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる四つの二点鎖線１１４Ｂとを設ける。二つの一点鎖線１１４Ａは、開口部３１の左方と右方にそれぞれ設けられる。この二つの一点鎖線１１４Ａは、開口部３１を挟んで一直線となるように水平方向にそれぞれ設けられる。四つの二点鎖線１１４Ｂは、開口部３１の左上と右上、及び左下と右下にそれぞれ設けられる。この四つの二点鎖線１１４Ｂは、開口部３１を挟んでＸ字状となるように設けられる。
【０１９９】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の左上と右下に設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１Ｚを上述した各実施の形態と同様に曲折することにより、ローマ字の「Ｚ」形とした花冠成形具７０Ｚを成形することができる。
【０２００】
このように本発明は、第一の可逆的曲折手段５Ａ、第二の可逆的曲折手段５Ｂ、及び第三の可逆的曲折手段５Ｃを適宜用いることによって、ローマ字（アルファベット）を模った花冠成形具を成形し、花卉の花冠を保護しつつ所望のローマ字形状を呈するようにすることができる。
【０２０１】
次に、アラビア数字を模った花冠成形具を形成する場合について説明する。
図８２に示すように、アラビア数字の「１」形とした花冠成形具８０−１は、たとえば、一つの山折り部４１と三つの谷折り部４２とにより構成された四つの屈曲部４を周壁部２に有する。また、山折り部４１において周壁部２の頂縁部側にそれぞれ第一の可逆的曲折手段５Ａを有すると共に、一つの谷折り部４２において周壁部２の基端部側に第二の可逆的曲折手段５Ｂを有する。
【０２０２】
このような花冠成形具８０−１は、たとえば、図８３に示すように、保形性と可撓性を有する花冠成形具形成用部材１０１−１を用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる三つの二点鎖線１１４Ｂとを設ける。一点鎖線１１４Ａは、開口部３１の左方に設けられる。三つの二点鎖線１１４Ｂは、開口部３１の左上と上方、及び下方やや右寄りにそれぞれ設けられる。
【０２０３】
また、第一の可逆的曲折手段５Ａとする折り曲げ位置として、山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の下方やや右寄りに設けられた谷折り部４２となる一つの二点鎖線１１４Ｂの内周縁部側に、この二点鎖線１１４Ｂを挟んで二本の曲折補助切込み５３，５３を設ける。
以上のように構成される花冠成形具形成用部材１０１−１を上述した各実施の形態と同様に曲折することにより、アラビア数字の「１」形とした花冠成形具８０−１を成形することができる。
【０２０４】
また、図８４に示すように、アラビア数字の「２」形とした花冠成形具８０−２は、たとえば、二つの山折り部４１と三つの谷折り部４２とにより構成された五つの屈曲部４を周壁部２に有する。また、各山折り部４１において周壁部２の頂縁部側にそれぞれ第一の可逆的曲折手段５Ａを有すると共に、各谷折り部４２において周壁部２の基端部側にそれぞれ第二の可逆的曲折手段５Ｂを有する。
【０２０５】
このような花冠成形具８０−２は、たとえば、図８５に示すように、保形性と可撓性を有する花冠成形具形成用部材１０１−２を用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる三つの二点鎖線１１４Ｂとを設ける。二つの一点鎖線１１４Ａは、開口部３１の左方やや上寄りと右方やや下寄りにそれぞれ設けられる。三つの二点鎖線１１４Ｂは、開口部３１の左上と左下、及び下方やや右寄りにそれぞれ設けられる。
【０２０６】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側に、この二点鎖線１１４Ｂを挟んで二本の曲折補助切込み５３，５３を設ける。
以上のように構成される花冠成形具形成用部材１０１−２を上述した各実施の形態と同様に曲折することにより、アラビア数字の「２」形とした花冠成形具８０−２を成形することができる
【０２０７】
また、図８６に示すように、アラビア数字の「３」形とした花冠成形具８０−３は、たとえば、二つの山折り部４１と二つの谷折り部４２とにより構成された四つの屈曲部４を周壁部２に有する。また、一方の山折り部４１において周壁部２の頂縁部側に第一の可逆的曲折手段５Ａを有し、他方の山折り部４１において周壁部２の頂縁部側に第三の可逆的曲折手段５Ｃを有する。さらに、各谷折り部４２において周壁部２の基端部側にそれぞれ第二の可逆的曲折手段５Ｂを有する。
【０２０８】
このような花冠成形具８０−３は、たとえば、図８７に示すように、保形性と可撓性を有する花冠成形具形成用部材１０１−３を用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる二つの二点鎖線１１４Ｂとを設ける。二つの一点鎖線１１４Ａは、開口部３１の左方と右方にそれぞれ設けられる。二つの二点鎖線１１４Ｂは、開口部３１の上方やや左寄りと下方やや左寄りにそれぞれ設けられる。
【０２０９】
また、第一の可逆的曲折手段５Ａとする折り曲げ位置として、開口部３１の左方に設けられた山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側に、この二点鎖線１１４Ｂを挟んで二本の曲折補助切込み５３，５３を設ける。さらに、第三の可逆的曲折手段５Ｃとする折り曲げ位置として、開口部３１の右方に設けられた山折り部４１となる一点鎖線１１４Ａの外周縁部側に、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１−３を上述した各実施の形態と同様に曲折することにより、アラビア数字の「３」形とした花冠成形具８０−３を成形することができる
【０２１０】
また、図８８に示すように、アラビア数字の「４」形とした花冠成形具８０−４は、たとえば、三つの山折り部４１と四つの谷折り部４２とにより構成された七つの屈曲部４を周壁部２に有する。また、全ての山折り部４１において周壁部２の頂縁部側に第一の可逆的曲折手段５Ａを有する。さらに、三つの谷折り部４２において周壁部２の基端部側にそれぞれ第二の可逆的曲折手段５Ｂを有する。
【０２１１】
このような花冠成形具８０−４は、たとえば、図８９に示すように、保形性と可撓性を有する花冠成形具形成用部材１０１−４を用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる四つの二点鎖線１１４Ｂとを設ける。三つの一点鎖線１１４Ａは、開口部３１の右方と下方やや右寄り、及び下方やや左寄りにそれぞれ設けられる。四つの二点鎖線１１４Ｂは、開口部３１の上方やや右寄りと左方、右下、及び下方にそれぞれ設けられる。
【０２１２】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の上方やや右寄りと左方及び下方に設けられた谷折り部４２となる三つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１−４を上述した各実施の形態と同様に曲折することにより、アラビア数字の「４」形とした花冠成形具８０−４を成形することができる。
【０２１３】
また、図９０に示すように、アラビア数字の「５」形とした花冠成形具８０−５は、たとえば、二つの山折り部４１と四つの谷折り部４２とにより構成された六つの屈曲部４を周壁部２に有する。また、全ての山折り部４１において周壁部２の頂縁部側に第一の可逆的曲折手段５Ａを有する。さらに、全ての谷折り部４２において周壁部２の基端部側にそれぞれ第二の可逆的曲折手段５Ｂを有する。
【０２１４】
このような花冠成形具８０−５は、たとえば、図９１に示すように、保形性と可撓性を有する花冠成形具形成用部材１０１−５を用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる四つの二点鎖線１１４Ｂとを設ける。二つの一点鎖線１１４Ａは、開口部３１の右方やや上寄りと左方やや下寄りにそれぞれ設けられる。四つの二点鎖線１１４Ｂは、開口部３１の上方やや左寄りと上方やや右寄り、下方やや左寄り、及び左方やや上寄りにそれぞれ設けられる。
【０２１５】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１−５を上述した各実施の形態と同様に曲折することにより、アラビア数字の「５」形とした花冠成形具８０−５を成形することができる。
【０２１６】
また、図９２に示すように、アラビア数字の「６」形とした花冠成形具８０−６は、たとえば、一つの山折り部４１と一つの谷折り部４２とにより構成された二つの屈曲部４を周壁部２に有する。また、谷折り部４２において周壁部２の基端側に第二の可逆的曲折手段５Ｂを有すると共に、山折り部４１において周壁部２の頂縁部側に第三の可逆的曲折手段５Ｃを有する。
【０２１７】
このような花冠成形具８０−６は、たとえば、図９３に示すように、保形性と可撓性を有する花冠成形具形成用部材１０１−６を用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる一つの二点鎖線１１４Ｂを設ける。一点鎖線１１４Ａは、開口部３１の右上に設けられる。二点鎖線１１４Ｂは、開口部３１の左上に設けられる。
【０２１８】
また、第二の可逆的曲折手段５Ｂとする折り曲げ位置として、谷折り部４２となる二点鎖線１１４Ｂの内周縁部側に、この二点鎖線１１４Ｂを挟んで二本の曲折補助切込み５３，５３を設ける。さらに、第三の可逆的曲折手段５Ｃとする折り曲げ位置として、山折り部４１となる一点鎖線１１４Ａの外周縁部側に、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１−６を上述した各実施の形態と同様に曲折することにより、アラビア数字の「６」形とした花冠成形具８０−６を成形することができる。
【０２１９】
また、図９４に示すように、アラビア数字の「７」形とした花冠成形具８０−７は、たとえば、一つの山折り部４１と五つの谷折り部４２とにより構成された六つの屈曲部４を周壁部２に有する。また、山折り部４１において周壁部２の頂縁部側に第一の可逆的曲折手段５Ａを有する。さらに、一つの谷折り部４２において周壁部２の基端部側に第二の可逆的曲折手段５Ｂを有する。
【０２２０】
このような花冠成形具８０−７は、たとえば、図９５に示すように、保形性と可撓性を有する花冠成形具形成用部材１０１−７を用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる五つの二点鎖線１１４Ｂとを設ける。一点鎖線１１４Ａは、開口部３１の左方やや上寄りに設けられる。五つの二点鎖線１１４Ｂは、開口部３１の左上と上方やや左寄り、右方やや上寄り、下方やや左寄り、及び下方やや右寄りにそれぞれ設けられる。
【０２２１】
また、第一の可逆的曲折手段５Ａとする折り曲げ位置として、山折り部４１となる一点鎖線１１４Ａの外周縁部側に連続して、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の右方やや上寄りに設けられた谷折り部４２となる一つの二点鎖線１１４Ｂの内周縁部側に、この二点鎖線１１４Ｂを挟んで二本の曲折補助切込み５３，５３を設ける。
以上のように構成される花冠成形具形成用部材１０１−７を上述した各実施の形態と同様に曲折することにより、アラビア数字の「７」形とした花冠成形具８０−７を成形することができる。
【０２２２】
また、図９６に示すように、アラビア数字の「８」形とした花冠成形具８０−８は、たとえば、二つの山折り部４１からなる二つの屈曲部４を周壁部２に有する。また、各山折り部４１において周壁部２の頂縁部側に第三の可逆的曲折手段５Ｃをそれぞれ有する。
【０２２３】
このような花冠成形具８０−８は、たとえば、図９７に示すように、保形性と可撓性を有する花冠成形具形成用部材１０１−８を用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａを設ける。一点鎖線１１４Ａは、開口部３１の左方やや上寄りと、右方やや上寄りにそれぞれ設けられる。
【０２２４】
また、第三の可逆的曲折手段５Ｃとする折り曲げ位置として、山折り部４１となる全ての一点鎖線１１４Ａの外周縁部側にそれぞれ、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１−８を上述した各実施の形態と同様に曲折することにより、アラビア数字の「８」形とした花冠成形具８０−８を成形することができる。
【０２２５】
また、図９８に示すように、アラビア数字の「９」形とした花冠成形具８０−９は、たとえば、一つの山折り部４１と一つの谷折り部４２とにより構成された二つの屈曲部４を周壁部２に有する。また、谷折り部４２において周壁部２の基端側に第二の可逆的曲折手段５Ｂを有すると共に、山折り部４１において周壁部２の頂縁部側に第三の可逆的曲折手段５Ｃを有する。
【０２２６】
このような花冠成形具８０−９は、たとえば、図９９に示すように、保形性と可撓性を有する花冠成形具形成用部材１０１−９を用いて形成することができる。具体的には、中心に常時開口した状態の開口部３１を開放部３として有する円形をしたシート体１１において、屈曲部４とする折り曲げ位置として、山折り部４１となる一つの一点鎖線１１４Ａと、谷折り部４２となる一つの二点鎖線１１４Ｂを設ける。一点鎖線１１４Ａは、開口部３１の左下に設けられる。二点鎖線１１４Ｂは、開口部３１の右下に設けられる。
【０２２７】
また、第二の可逆的曲折手段５Ｂとする折り曲げ位置として、谷折り部４２となる二点鎖線１１４Ｂの内周縁部側に、この二点鎖線１１４Ｂを挟んで二本の曲折補助切込み５３，５３を設ける。さらに、第三の可逆的曲折手段５Ｃとする折り曲げ位置として、山折り部４１となる一点鎖線１１４Ａの外周縁部側に、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１−９を上述した各実施の形態と同様に曲折することにより、アラビア数字の「９」形とした花冠成形具８０−９を成形することができる。
【０２２８】
このように本発明は、第一の可逆的曲折手段５Ａ、第二の可逆的曲折手段５Ｂ、及び第三の可逆的曲折手段５Ｃを適宜用いることによって、アラビア数字を模った花冠成形具を成形し、花卉の花冠を保護しつつ所望のアラビア数字形状を呈するようにすることができる。
なお、上記実施の形態において、数字は何れもアラビア数字について例示したが、本発明はこれに限らず、ローマ数字とすることもできる。
【０２２９】
次に、片仮名を模った花冠成形具を形成する場合について説明する。ここでは上述したローマ字（アルファベット）やアラビア数字のように全ての片仮名を説明せず、「ア」から「オ」までア行を例示的に説明する。
図１００に示すように、片仮名の「ア」形とした花冠成形具９０アは、たとえば、三つの山折り部４１と三つの谷折り部４２とにより構成された六つの屈曲部４を周壁部２に有する。また、全ての山折り部４１において周壁部２の頂縁部側に第一の可逆的曲折手段５Ａを有する。さらに、全ての谷折り部４２において周壁部２の基端部側にそれぞれ第二の可逆的曲折手段５Ｂを有する。
【０２３０】
このような花冠成形具９０アは、たとえば、図１０１に示すように、保形性と可撓性を有する花冠成形具形成用部材１０１アを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる三つの二点鎖線１１４Ｂとを設ける。三つの一点鎖線１１４Ａは、開口部３１の左方やや下寄りと右方やや下寄り、及び左下にそれぞれ設けられる。三つの二点鎖線１１４Ｂは、開口部３１の左上と右上、及び下方にそれぞれ設けられる。
【０２３１】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１アを上述した各実施の形態と同様に曲折することにより、片仮名の「ア」形とした花冠成形具９０アを成形することができる。
【０２３２】
また、図１０２に示すように、片仮名の「イ」形とした花冠成形具９０イは、たとえば、二つの山折り部４１と三つの谷折り部４２とにより構成された五つの屈曲部４を周壁部２に有する。また、各山折り部４１において周壁部２の頂縁部側にそれぞれ第一の可逆的曲折手段５Ａを有すると共に、山折り部４１に挟まれた間に位置する一つの谷折り部４２において周壁部２の基端部側に第二の可逆的曲折手段５Ｂを有する。
【０２３３】
このような花冠成形具９０イは、たとえば、図１０３に示すように、保形性と可撓性を有する花冠成形具形成用部材１０１イを用いて形成することができる。具体的には、中心に常時開口した状態の開口部３１を開放部３として有する円形をしたシート体１１において、屈曲部４とする折り曲げ位置として、山折り部４１となる二つの一点鎖線１１４Ａと、谷折り部４２となる三つの二点鎖線１１４Ｂとを設ける。二つの一点鎖線１１４Ａは、開口部３１の左方やや下寄りと右方やや下寄りにそれぞれ設けられる。三つの二点鎖線１１４Ｂは、開口部３１の左方やや上寄りと右上、及び下方にそれぞれ設けられる。
【０２３４】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の下方に設けられた谷折り部４２となる二点鎖線１１４Ｂの内周縁部側に、この二点鎖線１１４Ｂを挟んで二本の曲折補助切込み５３，５３を設ける。
以上のように構成される花冠成形具形成用部材１０１イを上述した各実施の形態と同様に曲折することにより、片仮名の「イ」形とした花冠成形具９０イを成形することができる。
【０２３５】
また、図１０４に示すように、片仮名の「ウ」形とした花冠成形具９０ウは、たとえば、三つの山折り部４１と五つの谷折り部４２とにより構成された八つの屈曲部４を周壁部２に有する。また、各山折り部４１において周壁部２の頂縁部側にそれぞれ第一の可逆的曲折手段５Ａを有する。さらに、二つの谷折り部４２において周壁部２の基端部側に第二の可逆的曲折手段５Ｂを有する。
【０２３６】
このような花冠成形具９０ウは、たとえば、図１０５に示すように、保形性と可撓性を有する花冠成形具形成用部材１０１ウを用いて形成することができる。具体的には、中心に常時開口した状態の開口部３１を開放部３として有する円形をしたシート体１１において、屈曲部４とする折り曲げ位置として、山折り部４１となる三つの一点鎖線１１４Ａと、谷折り部４２となる五つの二点鎖線１１４Ｂとを設ける。三つの一点鎖線１１４Ａは、開口部３１の上方やや左寄りと上方やや右寄り、及び左下にそれぞれ設けられる。五つの二点鎖線１１４Ｂは、開口部３１の上方と右方やや上寄り、下方やや右寄り、左方、及び左方やや上寄りにそれぞれ設けられる。
【０２３７】
また、第一の可逆的曲折手段５Ａとする折り曲げ位置として、山折り部４１となる各一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、開口部３１の上方と下方やや右寄りに設けられた谷折り部４２となる二つの二点鎖線１１４Ｂの内周縁部側にそれぞれ、この二点鎖線１１４Ｂを挟んで二本の曲折補助切込み５３，５３を設ける。
以上のように構成される花冠成形具形成用部材１０１ウを上述した各実施の形態と同様に曲折することにより、片仮名の「ウ」形とした花冠成形具９０ウを成形することができる。
【０２３８】
また、図１０６に示すように、片仮名の「エ」形とした花冠成形具９０エは、たとえば、四つの山折り部４１と四つの谷折り部４２とにより構成された八つの屈曲部４を周壁部２に有する。また、各山折り部４１において周壁部２の頂縁部側にそれぞれ第一の可逆的曲折手段５Ａを有する。
【０２３９】
このような花冠成形具９０エは、たとえば、図１０７に示すように、保形性と可撓性を有する花冠成形具形成用部材１０１エを用いて形成することができる。具体的には、中心に常時開口した状態の開口部３１を開放部３として有する円形をしたシート体１１において、屈曲部４とする折り曲げ位置として、山折り部４１となる四つの一点鎖線１１４Ａと、谷折り部４２となる四つの二点鎖線１１４Ｂとを設ける。四つの一点鎖線１１４Ａは、開口部３１の左方やや上寄りと右方やや上寄り、左方やや下寄り、及び右方やや下寄りにそれぞれ設けられる。四つの二点鎖線１１４Ｂは、開口部３１の左上と右上、左下及び右下にそれぞれ設けられる。
【０２４０】
また、第一の可逆的曲折手段５Ａとする折り曲げ位置として、山折り部４１となる全ての一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。
以上のように構成される花冠成形具形成用部材１０１エを上述した各実施の形態と同様に曲折することにより、片仮名の「エ」形とした花冠成形具９０エを成形することができる。
【０２４１】
また、図１０８に示すように、片仮名の「オ」形とした花冠成形具９０オは、たとえば、五つの山折り部４１と五つの谷折り部４２とにより構成された十の屈曲部４を周壁部２に有する。また、三つの山折り部４１において周壁部２の頂縁部側にそれぞれ第一の可逆的曲折手段５Ａを有すると共に、残りの二つの山折り部４１において周壁部２の頂縁部側にそれぞれ第三の可逆的曲折手段５Ｃを有する。さらに、各谷折り部４２において周壁部２の基端部側に第二の可逆的曲折手段５Ｂを有する。
【０２４２】
このような花冠成形具９０オは、たとえば、図１０９に示すように、保形性と可撓性を有する花冠成形具形成用部材１０１オを用いて形成することができる。具体的には、中心に常時開口した状態の開口部３１を開放部３として有する円形をしたシート体１１において、屈曲部４とする折り曲げ位置として、山折り部４１となる五つの一点鎖線１１４Ａと、谷折り部４２となる五つの二点鎖線１１４Ｂとを設ける。五つの一点鎖線１１４Ａは、開口部３１の上方やや左寄りと上方やや右寄り、右方やや上寄り、下方やや右寄り、及び左方にそれぞれ設けられる。五つの二点鎖線１１４Ｂは、開口部３１の上方と右上、右方やや下寄り、左下、及び左方やや上寄りにそれぞれ設けられる。
【０２４３】
また、第一の可逆的曲折手段５Ａとする折り曲げ位置として、開口部３１の上方やや左寄りと上方やや右寄り、及び右方やや上寄りに設けられた山折り部４１となる三つの一点鎖線１１４Ａの外周縁部側に連続してそれぞれ、谷折り部４２となる二点鎖線１１４Ｂと、この二点鎖線１１４Ｂを挟んで二方向に分岐する、それぞれ山折り部４１となる二つの一点鎖線１１４Ａを設ける。また、第二の可逆的曲折手段５Ｂとする折り曲げ位置として、谷折り部４２となる全ての二点鎖線１１４Ｂの内周縁部側にそれぞれ、この二点鎖線１１４Ｂを挟んで二本の曲折補助切込み５３，５３を設ける。さらに、第三の可逆的曲折手段５Ｃとする折り曲げ位置として、開口部３１の下方やや右寄りと左方に設けられた山折り部４１となる二つの一点鎖線１１４Ａの外周縁部側に、この一点鎖線１１４Ａを挟んで二方向に分岐する、一方が山折り部４１となる一点鎖線１１４Ａ及び他方が谷折り部４２となる二点鎖線１１４Ｂを設ける。
以上のように構成される花冠成形具形成用部材１０１オを上述した各実施の形態と同様に曲折することにより、片仮名の「オ」形とした花冠成形具９０オを成形することができる。
【０２４４】
以上のように本発明の花冠成形具は、可逆的曲折手段を備えているので、花卉の花冠を保護しつつ所望形状に成形するための立体的な組立てと、嵩張らずに搬送や収納をし易くするための平面的な展開が、どこでも容易に素早く繰り返し行うことができる。
また、花冠成形具を形成するための花冠成形具形成用部材に設ける屈曲部の位置や、花冠成形具形成用部材を構成するシート体の形状を適宜選択することで、様々な形状をした装飾的に富んだ花冠成形具とすることができる。すなわち、上述したハート形や動物の顔形、草花形、ローマ字（アルファベット）、アラビア数字、片仮名等を模った花冠成形具の開口部３１に花卉の花軸を挿通し、花冠の外側に当該花冠成形具を取り付けることで、外部からの衝撃等から花冠を保護すると共に、花冠を所望形状に成形した造形花卉とすることができる。
さらに、花冠の形状をローマ字や数字、片仮名を模ったものとする本発明の花冠成形具を適宜組み合わせることで、複数の花冠によってメッセージを作成することもできる。
【０２４５】
なお、花冠成形具は、同じ大きさをした花冠成形具形成用部材を用いて成形した場合、曲折部が増えるにしたがって出来上がった状態の大きさは小さいものとなる。花冠成形具を示す各図においては何れも、便宜上、同じ大きさをしたものとして示されている。したがって、花冠成形具の大きさを揃えてメッセージ等を作成する場合には、文字や数字等に応じて予め花冠成形具形成用部材の大きさを適宜選択しておく必要がある。
【符号の説明】
【０２４６】
Ｆ  花冠（カーネーション）、Ｍ  メッセージ、１（１Ａ，１Ｂ，１Ｃ，１Ｄ，１Ｅ，１Ｆ，１Ｇ，１Ｈ，１Ｊ，１Ｋ，１Ｌ，１Ｍ）  花冠成形具形成用部材、２  周壁部、２Ａ  内側周壁部、２Ｂ  外側周壁部、３  開放部、４  屈曲部、５（５Ａ，５Ｂ，５Ｃ）  可逆的曲折手段、６  平面部材、１０，２０  花冠成形具（ハート形）、１１  シート体、１４Ａ，１４Ｂ  目印、１５  表示、２１  頂縁部、２２  基底部、２３  狭幅域、２４ａ，２４ｂ  中幅域、２５  広幅域、２６，２７，２８  均等域、３０  花冠成形具（動物顔形）、３１  開口部、３２  周縁部、３３  拡開可能切込み、３４  開口用切込み、３５  破断部、４０，５０  花冠成形具（草花形）、４１  山折り部、４２  谷折り部、５１  山折り部、５２  谷折り部、５３  曲折補助切込み、５４  折込み部、６０  花冠成形具（星形）、７０（７０Ａ〜７０Ｚ）  花冠成形具（ローマ字）、８０（８０−１〜８０−９）  花冠成形具（アラビア数字）、９０（９０ア〜９０オ）  花冠成形具（片仮名）、１００  造形花卉、１０１（１０１Ａ〜１０１Ｚ，１０１−１〜１０１−９，１０１ア〜１０１オ）  花冠成形具形成用部材。
【図１】
2015027295.tif 000003
【図２】
2015027295.tif 000004
【図３】
2015027295.tif 000005
【図４】
2015027295.tif 000006
【図５】
2015027295.tif 000007
【図６】
2015027295.tif 000008
【図７】
2015027295.tif 000009
【図８】
2015027295.tif 000010
【図９】
2015027295.tif 000011
【図１０】
2015027295.tif 000012
【図１１】
2015027295.tif 000013
【図１２】
2015027295.tif 000014
【図１３】
2015027295.tif 000015
【図１４】
2015027295.tif 000016
【図１５】
2015027295.tif 000017
【図１６】
2015027295.tif 000018
【図１７】
2015027295.tif 000019
【図１８】
2015027295.tif 000020
【図１９】
2015027295.tif 000021
【図２０】
2015027295.tif 000022
【図２１】
2015027295.tif 000023
【図２２】
2015027295.tif 000024
【図２３】
2015027295.tif 000025
【図２４】
2015027295.tif 000026
【図２５】
2015027295.tif 000027
【図２６】
2015027295.tif 000028
【図２７】
2015027295.tif 000029
【図２８】
2015027295.tif 000030
【図２９】
2015027295.tif 000031
【図３０】
2015027295.tif 000032
【図３１】
2015027295.tif 000033
【図３２】
2015027295.tif 000034
【図３３】
2015027295.tif 000035
【図３４】
2015027295.tif 000036
【図３５】
2015027295.tif 000037
【図３６】
2015027295.tif 000038
【図３７】
2015027295.tif 000039
【図３８】
2015027295.tif 000040
【図３９】
2015027295.tif 000041
【図４０】
2015027295.tif 000042
【図４１】
2015027295.tif 000043
【図４２】
2015027295.tif 000044
【図４３】
2015027295.tif 000045
【図４４】
2015027295.tif 000046
【図４５】
2015027295.tif 000047
【図４６】
2015027295.tif 000048
【図４７】
2015027295.tif 000049
【図４８】
2015027295.tif 000050
【図４９】
2015027295.tif 000051
【図５０】
2015027295.tif 000052
【図５１】
2015027295.tif 000053
【図５２】
2015027295.tif 000054
【図５３】
2015027295.tif 000055
【図５４】
2015027295.tif 000056
【図５５】
2015027295.tif 000057
【図５６】
2015027295.tif 000058
【図５７】
2015027295.tif 000059
【図５８】
2015027295.tif 000060
【図５９】
2015027295.tif 000061
【図６０】
2015027295.tif 000062
【図６１】
2015027295.tif 000063
【図６２】
2015027295.tif 000064
【図６３】
2015027295.tif 000065
【図６４】
2015027295.tif 000066
【図６５】
2015027295.tif 000067
【図６６】
2015027295.tif 000068
【図６７】
2015027295.tif 000069
【図６８】
2015027295.tif 000070
【図６９】
2015027295.tif 000071
【図７０】
2015027295.tif 000072
【図７１】
2015027295.tif 000073
【図７２】
2015027295.tif 000074
【図７３】
2015027295.tif 000075
【図７４】
2015027295.tif 000076
【図７５】
2015027295.tif 000077
【図７６】
2015027295.tif 000078
【図７７】
2015027295.tif 000079
【図７８】
2015027295.tif 000080
【図７９】
2015027295.tif 000081
【図８０】
2015027295.tif 000082
【図８１】
2015027295.tif 000083
【図８２】
2015027295.tif 000084
【図８３】
2015027295.tif 000085
【図８４】
2015027295.tif 000086
【図８５】
2015027295.tif 000087
【図８６】
2015027295.tif 000088
【図８７】
2015027295.tif 000089
【図８８】
2015027295.tif 000090
【図８９】
2015027295.tif 000091
【図９０】
2015027295.tif 000092
【図９１】
2015027295.tif 000093
【図９２】
2015027295.tif 000094
【図９３】
2015027295.tif 000095
【図９４】
2015027295.tif 000096
【図９５】
2015027295.tif 000097
【図９６】
2015027295.tif 000098
【図９７】
2015027295.tif 000099
【図９８】
2015027295.tif 000100
【図９９】
2015027295.tif 000101
【図１００】
2015027295.tif 000102
【図１０１】
2015027295.tif 000103
【図１０２】
2015027295.tif 000104
【図１０３】
2015027295.tif 000105
【図１０４】
2015027295.tif 000106
【図１０５】
2015027295.tif 000107
【図１０６】
2015027295.tif 000108
【図１０７】
2015027295.tif 000109
【図１０８】
2015027295.tif 000110
【図１０９】
2015027295.tif 000111